(57)【要約】【課題】自動で複数のディスプレイの動作を統一させることができるネットワークシステムを提供する。【解決手段】複数のディスプレイ２００Ｂの各々が、ディスプレイの動作状態を管理装置２００Ａ，３００に送信する。管理装置が、複数のディスプレイに対応する動作状態をメモリ１０２に記憶する。管理装置が、メモリに記憶されている複数のディスプレイに対応する動作状態に基づいて、ディスプレイに他のディスプレイと同じ動作をさせるためのコマンドを送信する。複数のディスプレイの各々が、管理装置からのコマンドに基づいてディスプレイの動作状態を変更する。【選択図】図６
2011109303.tif 000002
【特許請求の範囲】
【請求項１】
複数のディスプレイと管理装置とを備えるネットワークシステムであって、
前記複数のディスプレイの各々は、
画面と、
前記管理装置と通信するための第１のインターフェイスと、
前記第１のインターフェイスを介して前記ディスプレイの動作状態を前記管理装置に送信し、前記管理装置からのコマンドに基づいて前記ディスプレイを制御するための第１のプロセッサとを含み、
前記管理装置は、
前記複数のディスプレイと通信するための第２のインターフェイスと、
前記複数のディスプレイに対応する前記動作状態を記憶するためのメモリと、
前記メモリに記憶されている前記複数のディスプレイに対応する前記動作状態に基づいて、前記第２のインターフェイスを介して前記ディスプレイに、他の前記ディスプレイと同じ動作をさせるための前記コマンドを送信するための第２のプロセッサとを含む、ネットワークシステム。
【請求項２】
前記管理装置は、画面を含むディスプレイであって、
前記第２のプロセッサは、
前記管理装置の動作状態を前記メモリに記憶し、
前記メモリに記憶されている前記複数のディスプレイおよび前記管理装置に対応する動作状態に基づいて、前記管理装置に他の前記ディスプレイと同じ動作をさせる、請求項１に記載のネットワークシステム。
【請求項３】
前記第２のプロセッサは、
前記メモリを参照して、前記複数のディスプレイに対応する前記動作状態が同じであるか否かを判断し、
前記動作状態が異なる場合に、各前記動作状態に対応する前記ディスプレイの個数を比較することによって、最も多い個数に対応する前記ディスプレイ以外の前記ディスプレイに前記コマンドを送信する、請求項１または２に記載のネットワークシステム。
【請求項４】
前記ネットワークシステムは、コンテンツを出力するためのコンテンツ出力装置をさらに備え、
前記ディスプレイの各々は、
前記コンテンツ出力装置と通信するための第３のインターフェイスをさらに含み、
前記第１のプロセッサは、前記第３のインターフェイスを介して前記コンテンツ出力装置から受信したコンテンツを前記画面に表示させる、請求項１から３のいずれかに記載のネットワークシステム。
【請求項５】
前記第３のインターフェイスは、複数の入力端子を含み、
前記動作状態は、前記画面に表示されている前記コンテンツが入力される入力端子の選択状態を含む、請求項４に記載のネットワークシステム。
【請求項６】
前記動作状態は、前記画面に表示されている前記コンテンツの入力信号の属性を含む、請求項４または５に記載のネットワークシステム。
【請求項７】
前記第１のプロセッサは、前記入力信号の属性が異なる場合、前記コマンドに基づいて、前記他のディスプレイと同じ動作状態への移行にするために前記コンテンツの入力先を他の入力先に変更してから元に戻す、請求項６に記載のネットワークシステム。
【請求項８】
前記動作状態は、電源のＯＮ／ＯＦＦ状態を含む、請求項１から７のいずれかに記載のネットワークシステム。
【請求項９】
前記第２のプロセッサは、前記管理装置の電源が投入されたときに、前記複数のディスプレイに対応する動作状態に基づいて、前記第２のインターフェイスを介して前記ディスプレイに前記コマンドを送信する、請求項１から８のいずれかに記載のネットワークシステム。
【請求項１０】
前記ネットワークシステムは、前記管理装置と通信するための管理端末をさらに備え、
前記第２のプロセッサは、
前記コマンドを送信した後、前記複数のディスプレイから前記動作状態を受信し、
前記複数のディスプレイの前記動作状態が同じであるかを判断し、
前記複数のディスプレイの前記動作状態が同じでない場合に、前記第１の通信インターフェイスを介して前記管理端末に警告を送信する、請求項１から９のいずれかに記載のネットワークシステム。
【請求項１１】
複数のディスプレイを備えるネットワークシステムであって、
前記複数のディスプレイの各々は、
画面と、
他の前記ディスプレイと通信するための第１のインターフェイスと、
前記第１のインターフェイスを介して、前記ディスプレイの動作状態を前記他のディスプレイに送信し、前記他のディスプレイからの動作状態を受信するための第１のプロセッサと、
前記複数のディスプレイに対応する前記動作状態を記憶するためのメモリとを含み、
前記第１のプロセッサは、前記メモリに記憶されている前記複数のディスプレイに対応する前記動作状態に基づいて、前記ディスプレイに前記他のディスプレイと同じ動作をさせる、ネットワークシステム。
【請求項１２】
複数のディスプレイと管理装置とを含むネットワークシステムにおける管理方法であって、
前記複数のディスプレイの各々が、前記ディスプレイの動作状態を前記管理装置に送信するステップと、
前記管理装置が、前記複数のディスプレイに対応する前記動作状態をメモリに記憶するステップと、
前記管理装置が、前記メモリに記憶されている前記複数のディスプレイに対応する前記動作状態に基づいて、前記ディスプレイに他の前記ディスプレイと同じ動作をさせるための前記コマンドを送信するステップと、
前記複数のディスプレイの各々が、前記管理装置からのコマンドに基づいて前記ディスプレイの動作状態を変更するステップとを備える、管理方法。
【請求項１３】
複数のディスプレイを含むネットワークシステムにおける管理方法であって、
前記複数のディスプレイの各々が、前記ディスプレイの動作状態を他の前記ディスプレイに送信するステップと、
前記複数のディスプレイの各々が、前記複数のディスプレイに対応する前記動作状態をメモリに記憶するステップと、
前記複数のディスプレイの各々が、前記メモリに記憶されている前記複数のディスプレイに対応する前記動作状態に基づいて、前記ディスプレイの動作状態を他の前記ディスプレイと同じ動作状態へと変更するステップとを備える、管理方法。
【発明の詳細な説明】
【技術分野】
【０００１】
本発明は、映像を表示するための複数のディスプレイを含むネットワークシステムおよび管理方法に関し、特に当該複数のディスプレイの動作状態を合せるためのネットワークシステムおよび管理方法に関する。
【背景技術】
【０００２】
複数のパブリックディスプレイは、同じタイミングで同じ映像を表示するケースがある。たとえば、駅に設置される複数のパブリックディスプレイは、朝５時から深夜１時まで電車の運行状況を表示する。
【０００３】
各ディスプレイの管理に関しては、管理サーバあるいは管理ＰＣ（パーソナルコンピュータ）が、ＬＡＮ（Local Area Network）やＲＳ−２３２Ｃ（Recommended Standard 232C）を介して、ディスプレイが正常に動作しているか否かを示す情報を取得していた。そして、管理者が、管理サーバあるいは管理ＰＣを使用することによって、いずれかのディスプレイに問題が発生したことを認識し、当該ディスプレイを復旧させていた。
【０００４】
たとえば、特開平１０−２１１６３号公報（特許文献１）には、画像表示制御方法が開示されている。特開平１０−２１１６３号公報（特許文献１）によると、画像表示制御方法は、原画像を表示する姿勢を数値コードで表わした姿勢コードを生成する姿勢コード生成ステップと、通信ネットワークにより他端末に姿勢コードを伝送する姿勢コード伝送ステップと、姿勢コードに従って画像回転や画像反転を行った画像を表示する画像表示ステップとを含む。姿勢コード伝送ステップは、姿勢コードを通信ネットワークに送出する送信サブステップと、姿勢コードを受け取る受信サブステップとを含む。
【０００５】
また、特開２０００−２９３１４７号公報（特許文献２）には、マルチディスプレイシステムが開示されている。特開２０００−２９３１４７号公報（特許文献２）によると、ビデオ信号を出力するホスト装置と、ビデオ信号に基づいて画像を表示する複数台の表示装置と、各表示装置に接続されビデオ信号に基づく画像の表示状態を表示装置毎に制御するための表示制御装置と、表示装置の視聴者が表示される画像に応じて情報を入力するための入力装置とを具備するマルチディスプレイシステムにおいて、表示制御装置が画像を表示した時間と入力手段により情報を入力した時間との時間情報を生成し、時間情報をホスト装置へ送信する。
【先行技術文献】
【特許文献】
【０００６】
【特許文献１】特開平１０−２１１６３号公報
【特許文献２】特開２０００−２９３１４７号公報
【発明の概要】
【発明が解決しようとする課題】
【０００７】
しかしながら、従来の複数のディスプレイを含むネットワークシステムに関しては、管理サーバや管理ＰＣを使用することによって管理者が目で複数のディスプレイの動作状態を確認する必要があった。すなわち、従来のネットワークシステムは自動で複数のディスプレイの動作を統一させることができないため、すなわち自動で異常なディスプレイを復旧させることができないため、人件費が多くかかるという不具合があった。
【０００８】
本発明は、かかる問題を解決するためになされたものであり、その目的は、自動で複数のディスプレイの動作を統一させることができるネットワークシステムおよび管理方法を提供することである。
【課題を解決するための手段】
【０００９】
この発明のある局面に従うと、複数のディスプレイと管理装置とを備えるネットワークシステムが提供される。複数のディスプレイの各々は、画面と、管理装置と通信するための第１のインターフェイスと、第１のインターフェイスを介してディスプレイの動作状態を管理装置に送信し、管理装置からのコマンドに基づいてディスプレイを制御するための第１のプロセッサとを含む。管理装置は、複数のディスプレイと通信するための第２のインターフェイスと、複数のディスプレイに対応する動作状態を記憶するためのメモリと、メモリに記憶されている複数のディスプレイに対応する動作状態に基づいて、第２のインターフェイスを介してディスプレイに、他のディスプレイと同じ動作をさせるためのコマンドを送信するための第２のプロセッサとを含む。
【００１０】
好ましくは、管理装置は、画面を含むディスプレイである。第２のプロセッサは、管理装置の動作状態をメモリに記憶し、メモリに記憶されている複数のディスプレイおよび管理装置に対応する動作状態に基づいて、管理装置に他のディスプレイと同じ動作をさせる。
【００１１】
好ましくは、第２のプロセッサは、メモリを参照して、複数のディスプレイに対応する動作状態が同じであるか否かを判断し、動作状態が異なる場合に、各動作状態に対応するディスプレイの個数を比較することによって、最も多い個数に対応するディスプレイ以外のディスプレイにコマンドを送信する。
【００１２】
好ましくは、ネットワークシステムは、コンテンツを出力するためのコンテンツ出力装置をさらに備える。ディスプレイの各々は、コンテンツ出力装置と通信するための第３のインターフェイスをさらに含む。第１のプロセッサは、第３のインターフェイスを介してコンテンツ出力装置から受信したコンテンツを画面に表示させる。
【００１３】
好ましくは、第３のインターフェイスは、複数の入力端子を含む。動作状態は、画面に表示されているコンテンツが入力される入力端子の選択状態を含む。
【００１４】
好ましくは、動作状態は、画面に表示されているコンテンツの入力信号の属性を含む。
好ましくは、第１のプロセッサは、入力信号の属性が異なる場合、コマンドに基づいて、他のディスプレイと同じ動作状態への移行にするためにコンテンツの入力先を他の入力先に変更してから元に戻す。
【００１５】
好ましくは、動作状態は、電源のＯＮ／ＯＦＦ状態を含む。
好ましくは、第２のプロセッサは、管理装置の電源が投入されたときに、複数のディスプレイに対応する動作状態に基づいて、第２のインターフェイスを介してディスプレイにコマンドを送信する。
【００１６】
好ましくは、ネットワークシステムは、管理装置と通信するための管理端末をさらに備える。第２のプロセッサは、コマンドを送信した後、複数のディスプレイから動作状態を受信し、複数のディスプレイの動作状態が同じであるかを判断し、複数のディスプレイの動作状態が同じでない場合に、第１の通信インターフェイスを介して管理端末に警告を送信する。
【００１７】
この発明の別の局面に従うと、複数のディスプレイを備えるネットワークシステムが提供される。複数のディスプレイの各々は、画面と、他のディスプレイと通信するための第１のインターフェイスと、第１のインターフェイスを介して、ディスプレイの動作状態を他のディスプレイに送信し、他のディスプレイからの動作状態を受信するための第１のプロセッサと、複数のディスプレイに対応する動作状態を記憶するためのメモリとを含む。第１のプロセッサは、メモリに記憶されている複数のディスプレイに対応する動作状態に基づいて、ディスプレイに他のディスプレイと同じ動作をさせる。
【００１８】
この発明の別の局面に従うと、複数のディスプレイと管理装置とを含むネットワークシステムにおける管理方法が提供される。管理方法は、複数のディスプレイの各々が、ディスプレイの動作状態を管理装置に送信するステップと、管理装置が、複数のディスプレイに対応する動作状態をメモリに記憶するステップと、管理装置が、メモリに記憶されている複数のディスプレイに対応する動作状態に基づいて、ディスプレイに他のディスプレイと同じ動作をさせるためのコマンドを送信するステップと、複数のディスプレイの各々が、管理装置からのコマンドに基づいてディスプレイの動作状態を変更するステップとを備える。
【００１９】
この発明の別の局面に従うと、複数のディスプレイを含むネットワークシステムにおける管理方法が提供される。管理方法は、複数のディスプレイの各々が、ディスプレイの動作状態を他のディスプレイに送信するステップと、複数のディスプレイの各々が、複数のディスプレイに対応する動作状態をメモリに記憶するステップと、複数のディスプレイの各々が、メモリに記憶されている複数のディスプレイに対応する動作状態に基づいて、ディスプレイの動作状態を他のディスプレイと同じ動作状態へと変更するステップとを備える。
【発明の効果】
【００２０】
以上のように、この発明によれば、自動で複数のディスプレイの動作を統一させることができるネットワークシステムおよび管理方法が提供される。
【図面の簡単な説明】
【００２１】
【図１】実施の形態１および２に係るネットワークシステムの全体構成を示すイメージ図である。
【図２】本実施の形態に係るネットワークシステムの動作概要を示す第１のイメージ図である。
【図３】本実施の形態に係るネットワークシステムの動作概要を示す第２のイメージ図である。
【図４】本実施の形態に係るネットワークシステムの動作概要を示す第３のイメージ図である。
【図５】本実施の形態に係るネットワークシステムの動作概要を示す第４のイメージ図である。
【図６】実施の形態１および２に係るディスプレイ（管理ディスプレイ）の構成を表わすブロック図である。
【図７】信号状態復旧処理において実行される復旧処理を示すイメージ図である。
【図８】ランプ状態復旧処理において実行される復旧処理を示すイメージ図である。
【図９】実施の形態１に係るディスプレイにおける判断処理の処理手順を示すフローチャートである。
【図１０】実施の形態１に係るディスプレイにおける電源復旧処理の処理手順を示すフローチャートである。
【図１１】実施の形態１に係るディスプレイにおける入力モード復旧処理の処理手順を示すフローチャートである。
【図１２】実施の形態１に係るディスプレイにおける信号状態復旧処理の処理手順を示す第１のフローチャートである。
【図１３】実施の形態１に係るディスプレイにおける信号状態復旧処理の処理手順を示す第２のフローチャートである。
【図１４】実施の形態１に係るディスプレイにおけるランプ状態復旧処理の処理手順を示すフローチャートである。
【図１５】実施の形態２に係る管理ディスプレイにおける判断処理の処理手順を示すフローチャートである。
【図１６】実施の形態２および３に係る管理ディスプレイ（管理サーバ）における電源復旧処理の処理手順を示すフローチャートである。
【図１７】実施の形態２および３に係る管理ディスプレイ（管理サーバ）における入力モード復旧処理の処理手順を示すフローチャートである。
【図１８】実施の形態２および３に係る管理ディスプレイ（管理サーバ）における信号状態復旧処理の処理手順を示す第１のフローチャートである。
【図１９】実施の形態２および３に係る管理ディスプレイ（管理サーバ）における信号状態復旧処理の処理手順を示す第２のフローチャートである。
【図２０】実施の形態２および３に係る管理ディスプレイ（管理サーバ）におけるランプ状態復旧処理の処理手順を示すフローチャートである。
【図２１】実施の形態３に係るネットワークシステムの全体構成を示すイメージ図である。
【図２２】実施の形態３に係る管理サーバの構成を表わすブロック図である。
【図２３】実施の形態３に係る管理サーバにおける電源復旧処理の処理手順を示すフローチャートである。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
［実施の形態１］
＜ネットワークシステム１Ａの全体構成＞
まず、本実施の形態に係るネットワークシステム１Ａの全体構成について説明する。図１は、本実施の形態に係るネットワークシステム１Ａの全体構成を示すイメージ図である。
【００２４】
図１を参照して、ネットワークシステム１Ａは、複数のディスプレイ１００Ａ，１００Ｂ，１００Ｃ，１００Ｄと、コンテンツ出力装置４００と、管理ＰＣ５００とを含む。複数のディスプレイ１００Ａ，１００Ｂ，１００Ｃ，１００Ｄのそれぞれと管理ＰＣ５００とは第１のネットワーク５１を介して互いに通信する。複数のディスプレイ１００Ａ，１００Ｂ，１００Ｃ，１００Ｄのそれぞれとコンテンツ出力装置４００とは第２のネットワーク５２を介して互いに通信する。
【００２５】
なお、複数のディスプレイ１００Ａ，１００Ｂ，１００Ｃ，１００Ｄは、液晶テレビやプラズマテレビなどによって実現される。第１のネットワーク５１および第２のネットワーク５２は、たとえば、有線ＬＡＮ、無線ＬＡＮ、ＲＳ−２３２Ｃ、ＨＤＭＩ−ＣＥＣ（High Definition Multimedia Interface-Consumer Electronics Control）などによって実現される。
【００２６】
ただし、管理ＰＣ５００とコンテンツ出力装置４００とは、同一の装置であってもよい。そして、第１のネットワーク５１および第２のネットワーク５２は、同一のネットワークであってもよい。
【００２７】
また、ネットワークシステム１Ａが複数のコンテンツ出力装置４００を含んでもよい。この場合には、複数のディスプレイ１００Ａ，１００Ｂ，１００Ｃ，１００Ｄは、複数の入力端子のそれぞれを介して、複数のコンテンツ出力装置４００のそれぞれから異なるコンテンツを受信する。
【００２８】
あるいは、コンテンツ出力装置４００が複数のコンテンツを異なる出力端子から出力してもよい。この場合には、複数のディスプレイ１００Ａ，１００Ｂ，１００Ｃ，１００Ｄは、複数の入力端子のそれぞれを介して、コンテンツ出力装置４００の出力端子のそれぞれからの異なるコンテンツを受信する。
【００２９】
複数のディスプレイ１００Ａ，１００Ｂ，１００Ｃ，１００Ｄは、第２のネットワーク５２を介して、コンテンツ出力装置４００から受信したコンテンツを表示する。本実施の形態においては、複数のディスプレイ１００Ａ，１００Ｂ，１００Ｃ，１００Ｄは、コンテンツ出力装置４００から同一のコンテンツを受信して、当該同一のコンテンツを表示する。
【００３０】
＜ネットワークシステム１Ａの動作概要１＞
次に、本実施の形態に係るネットワークシステム１Ａの動作概要について説明する。図２は、本実施の形態に係るネットワークシステム１Ａの動作概要を示す第１のイメージ図である。より詳細には、図２（Ａ）は、ディスプレイ１００Ｂが他のディスプレイ１００Ａ，１００Ｃ，１００Ｄと異なる動作状態に陥った状態を示す。図２（Ｂ）は、ディスプレイ１００が他のディスプレイ１００Ａ，１００Ｃ，１００Ｄと同じ動作状態に復旧した状態を示す。
【００３１】
図２（Ａ）に示すように、ディスプレイ１００Ｂのソフト電源がＯＦＦ状態であって、他のディスプレイ１００Ａ，１００Ｃ，１００Ｄのソフト電源がＯＮ状態となった場合について説明する。なお、ソフト電源ＯＦＦ状態とは、主電源がＯＮ状態かつ副電源がＯＦＦ状態、いわゆるスタンバイ状態をいう。以下では、ディスプレイ１００Ｂの動作について説明するが、他のディスプレイ１００Ａ，１００Ｃ，１００Ｄも同様の動作を実行可能である。
【００３２】
まず、ディスプレイ１００Ｂは、定期的に、あるいは主電源がＯＮされた際に、他のディスプレイ１００Ａ，１００Ｃ，１００Ｄの各々から動作状態を取得する。ディスプレイ１００Ｂは、ディスプレイ１００Ａ，１００Ｂ，１００Ｃ，１００Ｄの動作状態に基づいて、ディスプレイ１００Ｂの動作状態が他のディスプレイ１００Ａ，１００Ｃ，１００Ｄの動作状態と異なるか否かを判断する。すなわち、ディスプレイ１００Ｂは、他のディスプレイ１００Ａ，１００Ｃ，１００Ｄがソフト電源ＯＦＦ状態であるか否かを判断する。
【００３３】
ディスプレイ１００Ｂの動作状態が他のディスプレイ１００Ａ，１００Ｃ，１００Ｄの動作状態と異なる場合、すなわち他のディスプレイ１００Ａ，１００Ｃ，１００Ｄのソフト電源がＯＮ状態である場合、ディスプレイ１００Ｂはソフト電源をＯＮする。すなわち、図２（Ｂ）に示すように、全てのディスプレイ１００Ａ，１００Ｂ，１００Ｃ，１００Ｄがソフト電源ＯＮ状態になる。
【００３４】
より詳細には、ディスプレイ１００Ｂは、ディスプレイ１００Ａ，１００Ｂ，１００Ｃ，１００Ｄのそれぞれの動作状態に基づいて最も多数のディスプレイが属する動作状態に移行する。
【００３５】
このように、本実施の形態に係るネットワークシステム１Ａは、自動的に、全てのディスプレイ１００Ａ，１００Ｂ，１００Ｃ，１００Ｄが同じ動作状態となる。
【００３６】
＜ネットワークシステム１Ａの動作概要２＞
図３は、本実施の形態に係るネットワークシステム１Ａの動作概要を示す第２のイメージ図である。より詳細には、図３（Ａ）は、ディスプレイ１００Ｂが他のディスプレイ１００Ａ，１００Ｃ，１００Ｄと異なる動作状態に陥った状態を示す。図３（Ｂ）は、ディスプレイ１００が他のディスプレイ１００Ａ，１００Ｃ，１００Ｄと同じ動作状態に復旧した状態を示す。
【００３７】
図３（Ａ）に示すように、ディスプレイ１００ＢがＤＶＩ（Digital Visual Interface）端子を介して受信した第１のコンテンツを表示し、他のディスプレイ１００Ａ，１００Ｃ，１００ＤがＨＤＭＩ端子を介して受信した第２のコンテンツを表示している場合について説明する。以下では、ディスプレイ１００Ｂの動作について説明するが、他のディスプレイ１００Ａ，１００Ｃ，１００Ｄも同様の動作を実行可能である。
【００３８】
まず、ディスプレイ１００Ｂは、定期的に、あるいは主電源がＯＮされた際に、他のディスプレイ１００Ａ，１００Ｃ，１００Ｄの各々から動作状態を取得する。ディスプレイ１００Ｂは、ディスプレイ１００Ａ，１００Ｂ，１００Ｃ，１００Ｄの動作状態に基づいて、ディスプレイ１００Ｂの動作状態が他のディスプレイ１００Ａ，１００Ｃ，１００Ｄの動作状態と異なるか否かを判断する。すなわち、ディスプレイ１００Ｂは、他のディスプレイ１００Ａ，１００Ｃ，１００ＤがＤＶＩ端子を介して受信したコンテンツを表示しているか否かを判断する。
【００３９】
ディスプレイ１００Ｂの動作状態が他のディスプレイ１００Ａ，１００Ｃ，１００Ｄの動作状態と異なる場合、すなわち他のディスプレイ１００Ａ，１００Ｃ，１００ＤがＨＤＭＩ端子を介して受信したコンテンツを表示している場合、ディスプレイ１００Ｂは入力端子をＨＤＭＩ端子に切り替える。すなわち、図３（Ｂ）に示すように、全てのディスプレイ１００Ａ，１００Ｂ，１００Ｃ，１００ＤがＨＤＭＩ端子を介して受信したコンテンツを表示する。
【００４０】
より詳細には、ディスプレイ１００Ｂは、ディスプレイ１００Ａ，１００Ｂ，１００Ｃ，１００Ｄのそれぞれの動作状態に基づいて最も多数のディスプレイが属する動作状態に移行する。
【００４１】
このように、本実施の形態に係るネットワークシステム１Ａは、自動的に、全てのディスプレイ１００Ａ，１００Ｂ，１００Ｃ，１００Ｄが同じ動作状態となる。
【００４２】
＜ネットワークシステム１Ａの動作概要３＞
図４は、本実施の形態に係るネットワークシステム１Ａの動作概要を示す第３のイメージ図である。より詳細には、図４（Ａ）は、ディスプレイ１００Ｂが他のディスプレイ１００Ａ，１００Ｃ，１００Ｄと異なる動作状態に陥った状態を示す。図４（Ｂ）は、ディスプレイ１００Ｂが未だ他のディスプレイ１００Ａ，１００Ｃ，１００Ｄと異なる動作状態に陥っている状態を示す。図４（Ｃ）は、ディスプレイ１００が他のディスプレイ１００Ａ，１００Ｃ，１００Ｄと同じ動作状態に復旧した状態を示す。
【００４３】
図４（Ａ）に示すように、ディスプレイ１００Ｂがコンテンツ出力装置４００から信号を受信しておらず、他のディスプレイ１００Ａ，１００Ｃ，１００Ｄが４８０ｐ形式の信号を受信している場合について説明する。以下では、ディスプレイ１００Ｂの動作について説明するが、他のディスプレイ１００Ａ，１００Ｃ，１００Ｄも同様の動作を実行可能である。
【００４４】
まず、ディスプレイ１００Ｂは、定期的に、あるいは主電源がＯＮされた際に、他のディスプレイ１００Ａ，１００Ｃ，１００Ｄの各々から動作状態を取得する。ディスプレイ１００Ｂは、ディスプレイ１００Ａ，１００Ｂ，１００Ｃ，１００Ｄの動作状態に基づいて、ディスプレイ１００Ｂの動作状態が他のディスプレイ１００Ａ，１００Ｃ，１００Ｄの動作状態と異なるか否かを判断する。すなわち、ディスプレイ１００Ｂは、他のディスプレイ１００Ａ，１００Ｃ，１００Ｄが信号を受信していないか否かを判断する。
【００４５】
ディスプレイ１００Ｂの動作状態が他のディスプレイ１００Ａ，１００Ｃ，１００Ｄの動作状態と異なる場合、すなわち他のディスプレイ１００Ａ，１００Ｃ，１００Ｄが４８０ｐ信号を受信している場合、ディスプレイ１００Ｂは再起動する。しかしながら、図４（Ｂ）示すように、ディスプレイ１００Ｂが再起動しても、ディスプレイ１００Ｂが４８０ｐ形式の信号を受信しない場合がある。
【００４６】
この場合、ディスプレイ１００Ｂは、コンテンツ出力装置４００を再起動させる。これによって、図４（Ｃ）に示すように、全てのディスプレイ１００Ａ，１００Ｂ，１００Ｃ，１００Ｄがコンテンツ出力装置４００から４８０ｐ形式の信号を受信するようになる。
【００４７】
より詳細には、ディスプレイ１００Ｂは、ディスプレイ１００Ａ，１００Ｂ，１００Ｃ，１００Ｄのそれぞれの動作状態に基づいて最も多数のディスプレイが属する動作状態に移行する。
【００４８】
このように、本実施の形態に係るネットワークシステム１Ａは、自動的に、全てのディスプレイ１００Ａ，１００Ｂ，１００Ｃ，１００Ｄが同じ動作状態となる。
【００４９】
＜ネットワークシステム１Ａの動作概要４＞
図５は、本実施の形態に係るネットワークシステム１Ａの動作概要を示す第４のイメージ図である。より詳細には、図５（Ａ）は、ディスプレイ１００Ｂが他のディスプレイ１００Ａ，１００Ｃ，１００Ｄと異なる動作状態に陥った状態を示す。図５（Ｂ）は、ディスプレイ１００が他のディスプレイ１００Ａ，１００Ｃ，１００Ｄと同じ動作状態に復旧した状態を示す。
【００５０】
図５（Ａ）に示すように、ディスプレイ１００Ｂのバックライトが消灯しており、他のディスプレイ１００Ａ，１００Ｃ，１００Ｄのバックライトが点灯している場合について説明する。以下では、ディスプレイ１００Ｂの動作について説明するが、他のディスプレイ１００Ａ，１００Ｃ，１００Ｄも同様の動作を実行可能である。
【００５１】
まず、ディスプレイ１００Ｂは、定期的に、あるいは主電源がＯＮされた際に、他のディスプレイ１００Ａ，１００Ｃ，１００Ｄの各々から動作状態を取得する。ディスプレイ１００Ｂは、ディスプレイ１００Ａ，１００Ｂ，１００Ｃ，１００Ｄの動作状態に基づいて、ディスプレイ１００Ｂの動作状態が他のディスプレイ１００Ａ，１００Ｃ，１００Ｄの動作状態と異なるか否かを判断する。すなわち、ディスプレイ１００Ｂは、他のディスプレイ１００Ａ，１００Ｃ，１００Ｄがバックライトを消灯しているか否かを判断する。
【００５２】
ディスプレイ１００Ｂの動作状態が他のディスプレイ１００Ａ，１００Ｃ，１００Ｄの動作状態と異なる場合、すなわち他のディスプレイ１００Ａ，１００Ｃ，１００Ｄがバックライトを点灯している場合、ディスプレイ１００Ｂはバックライトを点灯する。すなわち、図５（Ｂ）に示すように、全てのディスプレイ１００Ａ，１００Ｂ，１００Ｃ，１００Ｄがバックライトを点灯させる。
【００５３】
より詳細には、ディスプレイ１００Ｂは、ディスプレイ１００Ａ，１００Ｂ，１００Ｃ，１００Ｄのそれぞれの動作状態に基づいて最も多数のディスプレイが属する動作状態に移行する。
【００５４】
このように、本実施の形態に係るネットワークシステム１Ａは、自動的に、全てのディスプレイ１００Ａ，１００Ｂ，１００Ｃ，１００Ｄが同じ動作状態となる。
【００５５】
以下、このような機能を実現するためのネットワークシステム１Ａの構成について詳述する。なお、以下では、ディスプレイ１００Ａ，１００Ｂ，１００Ｃ，１００Ｄをディスプレイ１００とも総称する。
【００５６】
＜ディスプレイ１００の構成＞
次に、本実施の形態に係るディスプレイ１００の具体的構成の一態様について説明する。図６は、本実施の形態に係るディスプレイ１００の構成を表わすブロック図である。図６を参照して、ディスプレイ１００は、主たる構成要素として、制御部１１０と、復旧手順メモリ１０１と、状態メモリ１０２と、スピーカ１０３と、ディスプレイ駆動回路１０４と、画面１０５と、ランプ状態検出回路１０６と、通信インターフェイス１０７と、コンテンツ入力インターフェイス１０８と、バックライト１０９とを含む。
【００５７】
復旧手順メモリ１０１と状態メモリ１０２とは、たとえば、ＳＲＡＭ（Static  Random  Access  Memory）、ＮＶ−ＲＡＭ、ハードディスク、ＲＯＭ（Read  Only  Memory）、マスクＲＯＭ、ＥＰＲＯＭ（Erasable  Programmable  Read  Only  Memory）、ＥＥＰＲＯＭ（Electronically  Erasable  Programmable  Read-Only  Memory）、フラッシュＲＯＭなどによって実現される。復旧手順メモリ１０１と状態メモリ１０２とは、同一の記録媒体によって実現されてもよいし、別々の記録媒体によって実現されても良い。
【００５８】
復旧手順メモリ１０１は、ディスプレイ１００の動作状態を変更するための、すなわちディスプレイ１００を復旧させるためのプログラムを含む。
【００５９】
状態メモリ１０２は、ネットワークシステム１Ａに含まれるディスプレイ１００それぞれの動作状態を記憶する。状態メモリ１０２は、時系列的に、すなわち複数のタイミングにおけるネットワークシステム１Ａに含まれるディスプレイ１００それぞれの動作状態を記憶する。
【００６０】
復旧手順メモリ１０１あるいは状態メモリ１０２を実現する記録媒体は、制御部１１０によって実行されるプログラムや、制御部１１０によるプログラムの実行により生成されたデータなどを記憶する。
【００６１】
制御部１１０は、ＣＰＵ（Central Processing Unit）などのプロセッサによって実現される。制御部１１０は、記録媒体に記憶されているプログラムを実行することによって、ディスプレイ１００の各部を制御する。なお、ここでいうプログラムとは、たとえば、ＣＰＵにより直接実行可能なプログラムだけでなく、ソースプログラム形式のプログラム、圧縮処理されたプログラム、暗号化されたプログラム等を含む。
【００６２】
スピーカ１０３は、制御部１１０からのデータに基づいて音声を出力する。すなわち、制御部１１０は、コンテンツ出力装置４００からのコンテンツデータに基づいて、スピーカ１０３に音声（コンテンツ）を出力させる。
【００６３】
ディスプレイ駆動回路１０４は、制御部１１０からのデータに基づいて画面１０５に映像を表示させる。すなわち、制御部１１０は、コンテンツ出力装置４００からのコンテンツデータに基づいてディスプレイ駆動回路１０４を制御することによって、画面１０５に映像（コンテンツ）を表示させる。
【００６４】
ランプ状態検出回路１０６は、バックライト１０９が点灯しているか否かを検出するための回路である。ランプ状態検出回路１０６は、バックライト１０９が点灯しているか否かを示す信号を制御部１１０に入力する。
【００６５】
通信インターフェイス１０７は、制御部１１０からのデータに基づいて、外部の装置とデータを送受信する。本実施の形態に係る通信インターフェイス１０７は、所定のプロトコルに基づいて、第１のネットワーク５１を介して、他のディスプレイ１００や管理ＰＣ５００などとデータを送受信する。
【００６６】
コンテンツ入力インターフェイス１０８は、制御部１１０からのデータに基づいて、外部の装置とデータを送受信する。本実施の形態に係るコンテンツ入力インターフェイス１０８は、所定のプロトコルに基づいて、第２のネットワーク５２を介して、コンテンツ出力装置４００からコンテンツデータを受信したり、コンテンツ出力装置４００に再起動命令を送信したりする。
【００６７】
バックライト１０９は、制御部１１０からの信号に基づいて、画面１０５の裏側から画面１０５へと光を照射する。
【００６８】
次に、制御部１１０が有する機能について説明する。制御部１１０は、状態取得部１１１と、条件判断部１１２と、復旧処理部１１３と、異常通知部１１４とを含む。より詳細には、状態取得部１１１と、条件判断部１１２と、復旧処理部１１３と、異常通知部１１４とは、制御部１１０が記録媒体に記憶されているプログラムを実行することによって実現されるモジュールであっても良いし、ハードウェアのロジック回路であってもよい。
【００６９】
状態取得部１１１は、ネットワークシステム１Ａに含まれるディスプレイの動作状態を取得する。状態取得部１１１は、定期的に、あるいはディスプレイ１００の主電源がＯＮされた際に、ディスプレイ１００に接続されている全てのディスプレイから、当該ディスプレイ１００に接続されている全てのディスプレイの動作状態を、通信インターフェイス１０７を介して取得する。
【００７０】
状態取得部１１１は、当該ディスプレイ１００に接続されている全てのディスプレイの動作状態を、定期的に状態メモリ１０２に格納する。また、状態取得部１１１は、ディスプレイ１００の動作状態も、定期的に状態メモリ１０２に格納する。
【００７１】
条件判断部１１２は、定期的に、あるいはディスプレイ１００の主電源がＯＮされた際に、状態メモリ１０２に記憶された全てのディスプレイに対する動作状態に基づいて、動作状態についての多数決を行う。そして、ネットワークシステム１Ａの標準動作状態を決定する。
【００７２】
なお、条件判断部は、最もディスプレイ１００の個数が多い動作状態が複数ある場合には、当該最もディスプレイ１００の個数が多い動作状態が１つになるまで待機してもよいし、あらかじめ定められた優先順位に従って標準動作状態を決定してもよい。たとえば、ソフト電源ＯＮ状態のディスプレイが２台あり、ソフト電源ＯＦＦ状態のディスプレイが２台ある場合は、ソフト電源ＯＮ状態を標準状態とする。
【００７３】
条件判断部１１２は、標準動作状態を状態メモリ１０２に格納する。条件判断部１１２は、標準動作状態の全ての項目とディスプレイ１００の動作状態の全ての項目とが一致するか否かを判断する。換言すれば、条件判断部１１２は、標準動作状態のいずれかの項目とディスプレイ１００の動作状態のいずれかの項目とが異なるか否かを判断する。
【００７４】
なお、いずれかのディスプレイが電源をＯＮする途中である場合などのように、いずれかのディスプレイが過渡的な状態にある可能性があるため、条件判断部１１２は、状態メモリ１０２を参照することによって、一定回数分の標準動作状態とディスプレイ１００の動作状態とが同じか否かを判断してもよい。この場合には、条件判断部１１２は、予め定められた回数以上、標準動作状態とディスプレイ１００の動作状態とが異なっているか否かを判断する。条件判断部１１２は、判断結果を復旧処理部１１３に受け渡す。
【００７５】
標準動作状態のいずれかの項目とディスプレイ１００の動作状態のいずれかの項目とが異なる場合、復旧処理部１１３は、ディスプレイ１００の動作状態を他のディスプレイの動作状態に一致させるように、復旧手順メモリ１０１から対応するプログラムを読み出して、対応する復旧処理を実行する。
【００７６】
ここで、復旧処理のためのプログラムについて説明する。図７は、信号状態復旧処理において実行される復旧処理を示すイメージ図である。図７を参照して、復旧処理部１１３は、復旧手順メモリ１０１から対応する復旧処理に関するコマンドを順次読み出して実行する。
【００７７】
たとえば、ディスプレイ１００の動作状態のうちの入力端子が標準動作状態のうちの入力端子と異なる場合、復旧処理部１１３は、第１のステップ（Ｆ＝１）として、別の入力端子に切り替えたのちに元の入力端子に戻すためのコマンドを実行する。復旧処理部１１３は、第２のステップ（Ｆ＝２）として、ディスプレイ１００を再起動するためのコマンドを実行する。復旧処理部１１３は、第３のステップ（Ｆ＝３）として、通信インターフェイス１０７を介してコンテンツ出力装置４００を再起動させるためのコマンドを実行する。
【００７８】
ディスプレイ１００の動作状態のうちの解像度が標準動作状態のうちの解像度と異なる場合、復旧処理部１１３は、第１のステップ（Ｆ＝１）として、別の入力端子に切り替えたのちに元の入力端子に戻すためのコマンドを実行する。復旧処理部１１３は、第２のステップ（Ｆ＝２）として、ディスプレイ１００を再起動するためのコマンドを実行する。
【００７９】
ディスプレイ１００の動作状態のうちのカラーシステムが標準動作状態のうちのカラーシステムと異なる場合、復旧処理部１１３は、第１のステップ（Ｆ＝１）として、自動制御からリモート設定に変更するためのコマンドを実行する。復旧処理部１１３は、第２のステップ（Ｆ＝２）として、別の入力端子に切り替えたのちに元の入力端子に戻すためのコマンドを実行する。
【００８０】
図８は、ランプ状態復旧処理において実行される復旧処理を示すイメージ図である。図８を参照して、復旧処理部１１３は、復旧手順メモリから対応する復旧処理に関するコマンドを順次読み出して実行する。
【００８１】
たとえば、ディスプレイ１００の動作状態のうちのランプ状態が標準動作状態のうちのランプ状態と異なる場合、復旧処理部１１３は、第１のステップ（Ｆ＝１）として、ディスプレイ１００を再起動するためのコマンドを実行する。復旧処理部１１３は、第２のステップ（Ｆ＝２）として、ディスプレイ１００のソフト電源がＯＮの場合にはバックライトを点灯し、ディスプレイ１００のソフト電源がＯＦＦの場合にはバックライトを消灯するためのコマンドを実行する。
【００８２】
図６に戻って、本実施の形態に係る条件判断部１１２は、復旧処理の後、標準動作状態の全ての項目とディスプレイ１００の動作状態の全ての項目とが一致するか否かを再度判断する。換言すれば、条件判断部１１２は、標準動作状態のいずれかの項目とディスプレイ１００の動作状態のいずれかの項目とが異なるか否かを判断する。
【００８３】
異常通知部１１４は、復旧処理の後、標準動作状態のいずれかの項目とディスプレイ１００の動作状態のいずれかの項目とが異なる場合、通信インターフェイス１０７を介して、管理ＰＣ５００に復旧が不可能である旨を通知する。
【００８４】
＜判断処理＞
以下では、本実施の形態に係るディスプレイ１００における各種の処理手順について説明する。各種の処理（ステップ）は、制御部１１０がプログラムを実行することによって実現してもよいし、各機能ブロック（状態取得部１１１、条件判断部１１２、復旧処理部１１３、異常通知部１１４）などがハードウェア回路によって実現してもよい。
【００８５】
まず、本実施の形態に係るディスプレイ１００における判断処理の処理手順について説明する。図９は、本実施の形態に係るディスプレイ１００における判断処理の処理手順を示すフローチャートである。
【００８６】
図９を参照して、制御部１１０は、通信インターフェイス１０７を介して、ネットワークシステム１Ａに含まれる他のディスプレイに状態確認コマンドを送信する（ステップＳ１０２）。制御部１１０は、通信インターフェイス１０７を介して他のディスプレイから応答（動作状態）を受信する。制御部１１０は、受信した動作状態を他のディスプレイを識別するための情報に対応付けて状態メモリ１０２に格納する（ステップＳ１０４）。このとき、制御部１１０は、自身（ディスプレイ１００）の動作状態も状態メモリ１０２に格納する。
【００８７】
制御部１１０は、ネットワークシステム１Ａに含まれる全てのディスプレイの動作状態が記憶されているか否かを判断する（ステップＳ１０６）。ネットワークシステム１Ａに含まれる全てのディスプレイの動作状態が記憶されていない場合（ステップＳ１０６においてＮＯである場合）、制御部１１０は、ステップＳ１０２からの処理を繰り返す。
【００８８】
ネットワークシステム１Ａに含まれる全てのディスプレイの動作状態が記憶されている場合（ステップＳ１０６においてＹＥＳである場合）、制御部１１０は、動作状態に関する多数決によってネットワークシステム１Ａの標準動作状態を決定する（ステップＳ１０８）。制御部１１０は、多数決によってネットワークシステム１Ａの標準動作状態を決定できるか否かを判断する（ステップＳ１１０）。
【００８９】
多数決によってネットワークシステム１Ａの標準動作状態を決定できない場合（ステップＳ１１０においてＮＯである場合）、制御部１１０は、通信インターフェイス１０７を介して管理ＰＣ５００に復旧が困難である旨のメッセージを送信する（ステップＳ１１２）。制御部１１０は、ステップＳ１３０からの処理を実行する。
【００９０】
多数決によってネットワークシステム１Ａの標準動作状態を決定できる場合（ステップＳ１１０においてＹＥＳである場合）、制御部１１０は、自身（ディスプレイ１００）の動作状態の電源状態がネットワークシステム１Ａの標準動作状態の電源状態と一致しているか否かを判断する（ステップＳ１１４）。自身（ディスプレイ１００）の動作状態の電源状態がネットワークシステム１Ａの標準動作状態の電源状態と一致している場合（ステップＳ１１４においてＹＥＳである場合）、ステップＳ１１８からの処理を実行する。
【００９１】
自身（ディスプレイ１００）の動作状態の電源状態がネットワークシステム１Ａの標準動作状態の電源状態と一致していない場合（ステップＳ１１４においてＮＯである場合）、制御部１１０は、規定回数以上一致していない状態が続いているか否かを判断する（ステップＳ１１６）。規定回数以上一致していない状態が続いている場合（ステップＳ１１６においてＹＥＳである場合）、制御部１１０は、電源復旧処理（ステップＳ２００）を実行する。電源復旧処理（ステップＳ２００）については後述する。制御部１１０は、ステップＳ１３０からの処理を実行する。
【００９２】
規定回数以上一致していない状態が続いていない場合（ステップＳ１１６においてＮＯである場合）、制御部１１０は、自身（ディスプレイ１００）の動作状態の入力モード（入力端子）がネットワークシステム１Ａの標準動作状態の入力モードに一致しているか否かを判断する（ステップＳ１１８）。自身（ディスプレイ１００）の動作状態の入力モード（入力端子）がネットワークシステム１Ａの標準動作状態の入力モードに一致している場合（ステップＳ１１８においてＹＥＳである場合）、制御部１１０は、ステップＳ１２２からの処理を実行する。
【００９３】
自身（ディスプレイ１００）の動作状態の入力モード（入力端子）がネットワークシステム１Ａの標準動作状態の入力モードに一致していない場合（ステップＳ１１８においてＮＯである場合）、制御部１１０は、規定回数以上一致していない状態が続いているか否かを判断する（ステップＳ１２０）。規定回数以上一致していない状態が続いている場合（ステップＳ１２０においてＹＥＳである場合）、制御部１１０は、入力モード復旧処理（ステップＳ３００）を実行する。入力モード復旧処理（ステップＳ３００）については後述する。制御部１１０は、ステップＳ１３０からの処理を実行する。
【００９４】
規定回数以上一致していない状態が続いていない場合（ステップＳ１２０においてＮＯである場合）、制御部１１０は、自身（ディスプレイ１００）の動作状態の信号状態がネットワークシステム１Ａの標準動作状態の信号状態に一致するか否かを判断する（ステップＳ１２２）。自身（ディスプレイ１００）の動作状態の信号状態がネットワークシステム１Ａの標準動作状態の信号状態に一致する場合（ステップＳ１２２においてＹＥＳである場合）、制御部１１０は、ステップＳ１２６からの処理を実行する。
【００９５】
自身（ディスプレイ１００）の動作状態の信号状態がネットワークシステム１Ａの標準動作状態の信号状態に一致しない（ステップＳ１２２においてＮＯである場合）、制御部１１０は、規定回数以上一致していない状態が続いているか否かを判断する（ステップＳ１２４）。規定回数以上一致していない状態が続いている場合（ステップＳ１２４においてＹＥＳである場合）、制御部１１０は、信号状態復旧処理（ステップＳ４００）を実行する。信号状態復旧処理（ステップＳ４００）については後述する。制御部１１０は、ステップＳ１３０からの処理を実行する。
【００９６】
規定回数以上一致していない状態が続いていない場合（ステップＳ１２４においてＮＯである場合）、制御部１１０は、自身（ディスプレイ１００）の動作状態のランプ状態がネットワークシステム１Ａの標準動作状態のランプ状態に一致するか否かを判断する（ステップＳ１２６）。自身（ディスプレイ１００）の動作状態のランプ状態がネットワークシステム１Ａの標準動作状態のランプ状態に一致する場合（ステップＳ１２６においてＹＥＳである場合）、制御部１１０は、ステップＳ１３０からの処理を実行する。
【００９７】
自身（ディスプレイ１００）の動作状態のランプ状態がネットワークシステム１Ａの標準動作状態のランプ状態に一致しない場合（ステップＳ１２６においてＮＯである場合）、制御部１１０は、規定回数以上一致していない状態が続いているか否かを判断する（ステップＳ１２８）。規定回数以上一致していない状態が続いている場合（ステップＳ１２８においてＹＥＳである場合）、制御部１１０は、ランプ状態復旧処理（ステップＳ５００）を実行する。ランプ状態復旧処理（ステップＳ４００）については後述する。制御部１１０は、ステップＳ１３０からの処理を実行する。
【００９８】
規定回数以上一致していない状態が続いていない場合（ステップＳ１２８においてＮＯである場合）、制御部１１０は、一定時間待機したうえで（ステップＳ１３０）、ステップＳ１０２からの処理を繰り返す。
【００９９】
＜電源復旧処理＞
以下では、本実施の形態に係るディスプレイ１００における電源復旧処理の処理手順について説明する。すなわち、自身（ディスプレイ１００）の動作状態の電源状態がネットワークシステム１Ａの標準動作状態の電源状態と異なる場合におけるディスプレイ１００の処理について説明する。図１０は、本実施の形態に係るディスプレイ１００における電源復旧処理の処理手順を示すフローチャートである。
【０１００】
図１０を参照して、制御部１１０は、自身（ディスプレイ１００）の動作状態のソフト電源がＯＦＦ状態であるか否かを判断する（ステップＳ２０６）。自身（ディスプレイ１００）の動作状態のソフト電源がＯＦＦ状態である場合（ステップＳ２０６においてＹＥＳである場合）、制御部１１０は、ソフト電源をＯＮするためのコマンドを準備する（ステップＳ２０８）。制御部１１０は、ステップＳ２２０からの処理を実行する。
【０１０１】
自身（ディスプレイ１００）の動作状態のソフト電源がＯＮ状態である場合（ステップＳ２０６においてＮＯである場合）、制御部１１０は、ソフト電源をＯＦＦするためのコマンドを準備する（ステップＳ２１０）。制御部１１０は、準備したコマンドを実行する（ステップＳ２２０）。
【０１０２】
制御部１１０は、自身（ディスプレイ１００）の動作状態の電源状態とネットワークシステム１Ａの標準動作状態の電源状態とが一致するか否かを判断する（ステップＳ２３６）。自身（ディスプレイ１００）の動作状態の電源状態とネットワークシステム１Ａの標準動作状態の電源状態とが一致する場合（ステップＳ２３６においてＹＥＳである場合）、制御部１１０は、電源復旧処理を終了する。
【０１０３】
自身（ディスプレイ１００）の動作状態の電源状態とネットワークシステム１Ａの標準動作状態の電源状態とが一致しない場合（ステップＳ２３６においてＮＯである場合）、制御部１１０は、通信インターフェイス１０７を介して、自身（ディスプレイ１００）の識別情報と電源状態が異常であることを示すメッセージとを管理ＰＣ５００に送信する（ステップＳ２３８）。制御部１１０は、電源復旧処理を終了する。
【０１０４】
＜入力モード復旧処理＞
以下では、本実施の形態に係るディスプレイ１００における入力モード復旧処理の処理手順について説明する。すなわち、自身（ディスプレイ１００）の動作状態の入力端子がネットワークシステム１Ａの標準動作状態の入力端子と異なる場合におけるディスプレイ１００の処理について説明する。図１１は、本実施の形態に係るディスプレイ１００における入力モード復旧処理の処理手順を示すフローチャートである。
【０１０５】
図１１を参照して、制御部１１０は、標準動作状態の入力端子と同じ入力端子に切り替えるためのコマンドを準備する（ステップＳ３０４）。制御部１１０は、準備したコマンドを実行する（ステップＳ３１２）。制御部１１０は、入力モード復旧処理を終了する。
【０１０６】
＜信号状態復旧処理＞
以下では、本実施の形態に係るディスプレイ１００における信号状態復旧処理の処理手順について説明する。すなわち、自身（ディスプレイ１００）の動作状態の入力信号状態がネットワークシステム１Ａの標準動作状態の入力信号状態と異なる場合におけるディスプレイ１００の処理について説明する。図１２は、本実施の形態に係るディスプレイ１００における信号状態復旧処理の処理手順を示す第１のフローチャートである。図１３は、本実施の形態に係るディスプレイ１００における信号状態復旧処理の処理手順を示す第２のフローチャートである。
【０１０７】
図１２および図１３を参照して、制御部１１０は、自身（ディスプレイ１００）の動作状態の入力信号の有無がネットワークシステム１Ａの標準動作状態の入力信号の有無と一致するか否かを判断する（ステップＳ４１０）。たとえば、ネットワークシステム１Ａの標準動作状態が入力信号有である場合、制御部１１０は、自身（ディスプレイ１００）の動作状態が無信号状態であるか否かを判断する。
【０１０８】
自身（ディスプレイ１００）の動作状態が無信号状態である場合（ステップＳ４１０においてＹＥＳである場合）、制御部１１０は、記録媒体の変数Ｆに１を代入する（ステップＳ４１２）。制御部１１０は、変数Ｆに対応するコマンドを復旧手順メモリ１０１から読み出す（ステップＳ４１４）。制御部１１０は、準備したコマンドを実行する（ステップＳ４１６）。
【０１０９】
制御部１１０は、自身（ディスプレイ１００）の動作状態の入力信号の有無がネットワークシステム１Ａの標準動作状態の入力信号の有無に一致するか否かを判断する（ステップＳ４１８）。自身（ディスプレイ１００）の動作状態の入力信号の有無がネットワークシステム１Ａの標準動作状態の入力信号の有無に一致する場合（ステップＳ４１８においてＹＥＳである場合）、制御部１１０は、ステップＳ４２４からの処理を実行する。
【０１１０】
自身（ディスプレイ１００）の動作状態の入力信号の有無がネットワークシステム１Ａの標準動作状態の入力信号の有無に一致しない場合（ステップＳ４１８においてＮＯである場合）、制御部１１０は、Ｆ＝３であるか否かを判断する（ステップＳ４２０）。Ｆ＝３である場合（ステップＳ４２０においてＹＥＳである場合）、制御部１１０は、ステップＳ４５４からの処理を実行する。Ｆ＝３でない場合（ステップＳ４２０においてＮＯである場合）、制御部１１０は、変数Ｆをインクリメントして（ステップＳ４２２）、ステップＳ４１４からの処理を繰り返す。
【０１１１】
自身（ディスプレイ１００）の動作状態が無信号状態でない場合（ステップＳ４１０においてＮＯである場合）、制御部１１０は、自身（ディスプレイ１００）の動作状態の入力信号に対応する解像度がネットワークシステム１Ａの標準動作状態の入力信号に対応する解像度と異なるか否かを判断する（ステップＳ４２４）。
【０１１２】
自身（ディスプレイ１００）の動作状態の解像度がネットワークシステム１Ａの標準動作状態の解像度と異なる場合（ステップＳ４２４においてＹＥＳである場合）、制御部１１０は、記録媒体の変数Ｆに１を代入する（ステップＳ４２６）。制御部１１０は、変数Ｆに対応するコマンドを復旧手順メモリ１０１から読み出す（ステップＳ４２８）。制御部１１０は、準備したコマンドを実行する（ステップＳ４３０）。
【０１１３】
制御部１１０は、自身（ディスプレイ１００）の動作状態の解像度がネットワークシステム１Ａの標準動作状態の解像度に一致するか否かを判断する（ステップＳ４３２）。自身（ディスプレイ１００）の動作状態の解像度がネットワークシステム１Ａの標準動作状態の解像度に一致する場合（ステップＳ４３２においてＹＥＳである場合）、制御部１１０は、ステップＳ４３８からの処理を実行する。
【０１１４】
自身（ディスプレイ１００）の動作状態の解像度がネットワークシステム１Ａの標準動作状態の解像度に一致しない場合（ステップＳ４３２においてＮＯである場合）、制御部１１０は、Ｆ＝２であるか否かを判断する（ステップＳ４３４）。Ｆ＝２である場合（ステップＳ４３４においてＹＥＳである場合）、制御部１１０は、ステップＳ４５４からの処理を実行する。Ｆ＝２でない場合（ステップＳ４３４においてＮＯである場合）、制御部１１０は、変数Ｆをインクリメントして（ステップＳ４３６）、ステップＳ４２８からの処理を繰り返す。
【０１１５】
自身（ディスプレイ１００）の動作状態の解像度がネットワークシステム１Ａの標準動作状態の解像度と一致する場合（ステップＳ４２４においてＮＯである場合）、制御部１１０は、自身（ディスプレイ１００）の動作状態のカラーシステムがネットワークシステム１Ａの標準動作状態のカラーシステムと異なるか否かを判断する（ステップＳ４３８）。
【０１１６】
自身（ディスプレイ１００）の動作状態のカラーシステムがネットワークシステム１Ａの標準動作状態のカラーシステムと異なる場合（ステップＳ４３８においてＹＥＳである場合）、制御部１１０は、記録媒体の変数Ｆに１を代入する（ステップＳ４４０）。制御部１１０は、変数Ｆに対応するコマンドを復旧手順メモリ１０１から読み出す（ステップＳ４４２）。制御部１１０は、準備したコマンドを実行する（ステップＳ４４６）。
【０１１７】
制御部１１０は、自身（ディスプレイ１００）の動作状態のカラーシステムがネットワークシステム１Ａの標準動作状態のカラーシステムに一致するか否かを判断する（ステップＳ４４８）。自身（ディスプレイ１００）の動作状態のカラーシステムがネットワークシステム１Ａの標準動作状態のカラーシステムに一致する場合（ステップＳ４４８においてＹＥＳである場合）、制御部１１０は、信号状態復旧処理を終了する。
【０１１８】
自身（ディスプレイ１００）の動作状態のカラーシステムがネットワークシステム１Ａの標準動作状態のカラーシステムに一致しない場合（ステップＳ４４８においてＮＯである場合）、制御部１１０は、Ｆ＝２であるか否かを判断する（ステップＳ４５０）。Ｆ＝２でない場合（ステップＳ４５０においてＮＯである場合）、制御部１１０は、変数Ｆをインクリメントして（ステップＳ４５２）、ステップＳ４４２からの処理を実行する。
【０１１９】
Ｆ＝２である場合（ステップＳ４５０においてＹＥＳである場合）、制御部１１０は、通信インターフェイス１０７を介して、自身（ディスプレイ１００）の識別情報と信号状態が異常であることを示すメッセージとを管理ＰＣ５００に送信する（ステップＳ４５４）。制御部１１０は、信号状態復旧処理を終了する。
【０１２０】
＜ランプ状態復旧処理＞
以下では、本実施の形態に係るディスプレイ１００におけるランプ状態復旧処理の処理手順について説明する。すなわち、自身（ディスプレイ１００）の動作状態のランプ状態がネットワークシステム１Ａの標準動作状態のランプ状態と異なる場合におけるディスプレイ１００の処理について説明する。図１４は、本実施の形態に係るディスプレイ１００におけるランプ状態復旧処理の処理手順を示すフローチャートである。
【０１２１】
図１４を参照して、制御部１１０は、記録媒体の変数Ｆに１を代入する（ステップＳ５１４）。制御部１１０は、変数Ｆに対応するコマンドを復旧手順メモリ１０１から読み出す（ステップＳ５１６）。制御部１１０は、準備したコマンドを実行する（ステップＳ５１８）。
【０１２２】
制御部１１０は、自身（ディスプレイ１００）の動作状態のランプ状態がネットワークシステム１Ａの標準動作状態のランプ状態に一致するか否かを判断する（ステップＳ５２０）。自身（ディスプレイ１００）の動作状態のランプ状態がネットワークシステム１Ａの標準動作状態のランプ状態に一致する場合（ステップＳ５２０においてＹＥＳである場合）、制御部１１０は、ランプ状態復旧処理を終了する。
【０１２３】
自身（ディスプレイ１００）の動作状態のランプ状態がネットワークシステム１Ａの標準動作状態のランプ状態に一致しない場合（ステップＳ５２０においてＮＯである場合）、制御部１１０は、Ｆ＝２であるか否かを判断する（ステップＳ５２２）。Ｆ＝２でない場合（ステップＳ５２２においてＮＯである場合）、制御部１１０は、変数Ｆをインクリメントして（ステップＳ５２４）、ステップＳ５１６からの処理を繰り返す。
【０１２４】
Ｆ＝２である場合（ステップＳ５２２においてＹＥＳである場合）、制御部１１０は、通信インターフェイス１０７を介して、自身（ディスプレイ１００）の識別情報と復旧が困難であることを示すメッセージとを管理ＰＣ５００に送信する（ステップＳ５２６）。制御部１１０は、ランプ状態復旧処理を終了する。
【０１２５】
［実施の形態２］
次に、本発明の実施の形態２について説明する。上述の実施の形態１に係るネットワークシステム１Ａでは、ネットワークシステム１Ａに含まれる各ディスプレイ１００が復旧処理の要否を判断するものであった。一方、本実施の形態に係るネットワークシステム１Ｂは、ネットワークシステム１Ｂに含まれる１つの管理用のディスプレイが、全てのディスプレイの復旧処理の要否を判断するものである。
【０１２６】
なお、実施の形態１に係るネットワークシステム１Ａと同様の構成については、説明を繰り返さない。
【０１２７】
＜ネットワークシステム１Ｂの全体構成＞
まず、本実施の形態に係るネットワークシステム１Ｂの全体構成について説明する。図１は、本実施の形態に係るネットワークシステム１Ｂの全体構成を示すイメージ図である。
【０１２８】
図１を参照して、ネットワークシステム１Ｂは、管理ディスプレイ２００Ａと複数のディスプレイ２００Ｂ，２００Ｃ，２００Ｄと、コンテンツ出力装置４００と、管理ＰＣ５００とを含む。管理ディスプレイ２００Ａと複数のディスプレイ２００Ｂ，２００Ｃ，２００Ｄのそれぞれと管理ＰＣ５００とは第１のネットワーク５１を介して互いに通信する。管理ディスプレイ２００Ａと複数のディスプレイ２００Ｂ，２００Ｃ，２００Ｄのそれぞれとコンテンツ出力装置４００とは第２のネットワーク５２を介して互いに通信する。
【０１２９】
なお、管理ディスプレイ２００Ａと複数のディスプレイ２００Ｂ，２００Ｃ，２００Ｄは、液晶テレビやプラズマテレビなどによって実現される。第１のネットワーク５１および第２のネットワーク５２は、たとえば、有線ＬＡＮ、無線ＬＡＮ、ＲＳ−２３２Ｃ、ＨＤＭＩ−ＣＥＣ（High Definition Multimedia Interface-Consumer Electronics Control）などによって実現される。
【０１３０】
ただし、管理ＰＣ５００とコンテンツ出力装置４００とは、同一の装置であってもよい。そして、第１のネットワーク５１および第２のネットワーク５２は、同一のネットワークであってもよい。
【０１３１】
また、ネットワークシステム１Ｂが複数のコンテンツ出力装置４００を含んでもよい。この場合には、管理ディスプレイ２００Ａと複数のディスプレイ２００Ｂ，２００Ｃ，２００Ｄは、複数の入力端子のそれぞれを介して、複数のコンテンツ出力装置４００のそれぞれから異なるコンテンツを受信する。
【０１３２】
あるいは、コンテンツ出力装置４００が複数のコンテンツを異なる出力端子から出力してもよい。この場合には、管理ディスプレイ２００Ａと複数のディスプレイ２００Ｂ，２００Ｃ，２００Ｄは、複数の入力端子のそれぞれを介して、コンテンツ出力装置４００の出力端子のそれぞれから異なるコンテンツを受信する。
【０１３３】
管理ディスプレイ２００Ａと複数のディスプレイ２００Ｂ，２００Ｃ，２００Ｄは、ネットワーク５２を介してコンテンツ出力装置４００から受信したコンテンツを表示する。本実施の形態においては、管理ディスプレイ２００Ａと複数のディスプレイ２００Ｂ，２００Ｃ，２００Ｄは、コンテンツ出力装置４００から同一のコンテンツを受信して、当該同一のコンテンツを表示する。
【０１３４】
＜ネットワークシステム１Ｂの動作概要１＞
次に、本実施の形態に係るネットワークシステム１Ｂの動作概要について説明する。
【０１３５】
図２（Ａ）に示すように、ディスプレイ２００Ｂのソフト電源がＯＦＦ状態であって、他のディスプレイ２００Ａ，２００Ｃ，２００Ｄのソフト電源がＯＮ状態となった場合について説明する。なお、ソフト電源ＯＦＦ状態とは、主電源がＯＮ状態かつ副電源がＯＦＦ状態、いわゆるスタンバイ状態をいう。
【０１３６】
まず、管理ディスプレイ２００Ａは、定期的に、あるいは主電源がＯＮされた際に、他のディスプレイ２００Ｂ，２００Ｃ，２００Ｄの各々から動作状態を取得する。管理ディスプレイ２００Ａは、ディスプレイ２００Ａ，２００Ｂ，２００Ｃ，２００Ｄの動作状態に基づいて、ディスプレイ２００Ｂの動作状態が他のディスプレイ２００Ａ，２００Ｃ，２００Ｄの動作状態と異なるか否かを判断する。すなわち、管理ディスプレイ２００Ａは、ディスプレイ２００Ａ，２００Ｃ，２００Ｄがソフト電源ＯＦＦ状態であるか否かを判断する。
【０１３７】
ディスプレイ２００Ｂの動作状態が他のディスプレイ２００Ａ，２００Ｃ，２００Ｄの動作状態と異なる場合、すなわち他のディスプレイ２００Ａ，２００Ｃ，２００Ｄのソフト電源がＯＦＦ状態である場合、管理ディスプレイ２００Ａは、ディスプレイ２００Ｂにコマンドを送信することによって、ディスプレイ２００Ｂにソフト電源をＯＮさせる。すなわち、図２（Ｂ）に示すように、全てのディスプレイ２００Ａ，２００Ｂ，２００Ｃ，２００Ｄがソフト電源ＯＮ状態になる。
【０１３８】
より詳細には、管理ディスプレイ２００Ａは、ディスプレイ２００Ａ，２００Ｂ，２００Ｃ，２００Ｄの動作状態に基づいて、ディスプレイ２００Ａ，２００Ｂ，２００Ｃ，２００Ｄの各々を最も多数のディスプレイが属する動作状態に移行させる。
【０１３９】
このように、本実施の形態に係るネットワークシステム１Ｂは、自動的に、全てのディスプレイ２００Ａ，２００Ｂ，２００Ｃ，２００Ｄが同じ動作状態となる。
【０１４０】
＜ネットワークシステム１Ｂの動作概要２＞
図３（Ａ）に示すように、ディスプレイ２００ＢがＤＶＩ（Digital Visual Interface）端子を介して受信した第１のコンテンツを表示し、他のディスプレイ２００Ａ，２００Ｃ，２００ＤがＨＤＭＩ端子を介して受信した第２のコンテンツを表示している場合について説明する。
【０１４１】
まず、管理ディスプレイ２００Ａは、定期的に、あるいは主電源がＯＮされた際に、他のディスプレイ２００Ｂ，２００Ｃ，２００Ｄの各々から動作状態を取得する。管理ディスプレイ２００Ａは、ディスプレイ２００Ａ，２００Ｂ，２００Ｃ，２００Ｄの動作状態に基づいて、ディスプレイ２００Ｂの動作状態が他のディスプレイ２００Ａ，２００Ｃ，２００Ｄの動作状態と異なるか否かを判断する。すなわち、管理ディスプレイ２００Ａは、他のディスプレイ２００Ａ，２００Ｃ，２００ＤがＤＶＩ端子を介して受信したコンテンツを表示しているか否かを判断する。
【０１４２】
ディスプレイ２００Ｂの動作状態が他のディスプレイ２００Ａ，２００Ｃ，２００Ｄの動作状態と異なる場合、すなわち他のディスプレイ２００Ａ，２００Ｃ，２００ＤがＨＤＭＩ端子を介して受信したコンテンツを表示している場合、管理ディスプレイ２００Ａは、ディスプレイ２００Ｂにコマンドを送信することによって、ディスプレイ２００Ｂに入力端子をＨＤＭＩ端子に切り替えさせる。すなわち、図３（Ｂ）に示すように、全てのディスプレイ２００Ａ，２００Ｂ，２００Ｃ，２００ＤがＨＤＭＩ端子を介して受信したコンテンツを表示する。
【０１４３】
より詳細には、管理ディスプレイ２００Ａは、ディスプレイ２００Ａ，２００Ｂ，２００Ｃ，２００Ｄの動作状態に基づいて、ディスプレイ２００Ａ，２００Ｂ，２００Ｃ，２００Ｄの各々を最も多数のディスプレイが属する動作状態に移行させる。
【０１４４】
このように、本実施の形態に係るネットワークシステム１Ｂは、自動的に、全てのディスプレイ２００Ａ，２００Ｂ，２００Ｃ，２００Ｄが同じ動作状態となる。
【０１４５】
＜ネットワークシステム１Ｂの動作概要３＞
図４（Ａ）に示すように、ディスプレイ２００Ｂがコンテンツ出力装置４００から信号を受信せず、他のディスプレイ２００Ａ，２００Ｃ，２００Ｄが４８０ｐ形式の信号を受信している場合について説明する。
【０１４６】
まず、管理ディスプレイ２００Ａは、定期的に、あるいは主電源がＯＮされた際に、他のディスプレイ２００Ｂ，２００Ｃ，２００Ｄの各々から動作状態を取得する。管理ディスプレイ２００Ａは、ディスプレイ２００Ａ，２００Ｂ，２００Ｃ，２００Ｄの動作状態に基づいて、ディスプレイ２００Ｂの動作状態が他のディスプレイ２００Ａ，２００Ｃ，２００Ｄの動作状態と異なるか否かを判断する。すなわち、管理ディスプレイ２００Ａは、他のディスプレイ２００Ａ，２００Ｃ，２００Ｄが信号を受信していないか否かを判断する。
【０１４７】
ディスプレイ２００Ｂの動作状態が他のディスプレイ２００Ａ，２００Ｃ，２００Ｄの動作状態と異なる場合、すなわち他のディスプレイ２００Ａ，２００Ｃ，２００Ｄが４８０ｐ信号を受信している場合、管理ディスプレイ２００Ａは、ディスプレイ２００Ｂにコマンドを送信することによって、ディスプレイ２００Ｂを再起動させる。しかしながら、図４（Ｂ）示すように、ディスプレイ２００Ｂが再起動しても、ディスプレイ２００Ｂが４８０ｐ形式の信号を受信しない場合がある。
【０１４８】
この場合、管理ディスプレイ２００Ａは、コンテンツ出力装置４００を再起動させる。これによって、図４（Ｃ）に示すように、全てのディスプレイ２００Ａ，２００Ｂ，２００Ｃ，２００Ｄがコンテンツ出力装置４００から４８０ｐ形式の信号を受信するようになる。
【０１４９】
より詳細には、管理ディスプレイ２００Ａは、ディスプレイ２００Ａ，２００Ｂ，２００Ｃ，２００Ｄの動作状態に基づいて、ディスプレイ２００Ａ，２００Ｂ，２００Ｃ，２００Ｄの各々を最も多数のディスプレイが属する動作状態に移行させる。
【０１５０】
このように、本実施の形態に係るネットワークシステム１Ｂは、自動的に、全てのディスプレイ２００Ａ，２００Ｂ，２００Ｃ，２００Ｄが同じ動作状態となる。
【０１５１】
＜ネットワークシステム１Ｂの動作概要４＞
図５（Ａ）に示すように、ディスプレイ２００Ｂのバックライトが消灯しており、他のディスプレイ２００Ａ，２００Ｃ，２００Ｄのバックライトが点灯している場合について説明する。
【０１５２】
まず、管理ディスプレイ２００Ａは、定期的に、あるいは主電源がＯＮされた際に、他のディスプレイ２００Ａ，２００Ｃ，２００Ｄの各々から動作状態を取得する。管理ディスプレイ２００Ａは、ディスプレイ２００Ａ，２００Ｂ，２００Ｃ，２００Ｄの動作状態に基づいて、ディスプレイ２００Ｂの動作状態が他のディスプレイ２００Ａ，２００Ｃ，２００Ｄの動作状態と異なるか否かを判断する。すなわち、管理ディスプレイ２００Ａは、他のディスプレイ２００Ａ，２００Ｃ，２００Ｄがバックライトを消灯しているか否かを判断する。
【０１５３】
ディスプレイ２００Ｂの動作状態が他のディスプレイ２００Ａ，２００Ｃ，２００Ｄの動作状態と異なる場合、すなわち他のディスプレイ２００Ａ，２００Ｃ，２００Ｄがバックライトを点灯している場合、管理ディスプレイ２００Ａは、ディスプレイ２００Ｂにコマンドを送信することによって、ディスプレイ２００Ｂにバックライトを点灯させる。すなわち、図５（Ｂ）に示すように、全てのディスプレイ２００Ａ，２００Ｂ，２００Ｃ，２００Ｄがバックライトを点灯させる。
【０１５４】
より詳細には、管理ディスプレイ２００Ａは、ディスプレイ２００Ａ，２００Ｂ，２００Ｃ，２００Ｄの動作状態に基づいて、ディスプレイ２００Ａ，２００Ｂ，２００Ｃ，２００Ｄの各々を最も多数のディスプレイが属する動作状態に移行させる。
【０１５５】
このように、本実施の形態に係るネットワークシステム１Ｂは、自動的に、全てのディスプレイ２００Ａ，２００Ｂ，２００Ｃ，２００Ｄが同じ動作状態となる。
【０１５６】
以下、このような機能を実現するためのネットワークシステム１Ｂの構成について詳述する。なお、以下では、ディスプレイ２００Ａ，２００Ｂ，２００Ｃ，２００Ｄをディスプレイ２００とも総称する。
【０１５７】
＜管理ディスプレイ２００Ａの構成＞
次に、本実施の形態に係る管理ディスプレイ２００Ａの具体的構成の一態様について説明する。図６を参照して、管理ディスプレイ２００Ａは、主たる構成要素として、制御部１１０と、復旧手順メモリ１０１と、状態メモリ１０２と、スピーカ１０３と、ディスプレイ駆動回路１０４と、画面１０５と、ランプ状態検出回路１０６と、通信インターフェイス１０７と、コンテンツ入力インターフェイス１０８と、バックライト１０９とを含む。
【０１５８】
本実施の形態に係るハードウェア構成は、実施の形態１に係るディスプレイ１００のそれと同様であるため、ここでは説明を繰り返さない。以下では、制御部１１０が有する機能について説明する。
【０１５９】
制御部１１０は、状態取得部１１１と、条件判断部１１２と、復旧処理部１１３と、異常通知部１１４とを含む。より詳細には、状態取得部１１１と、条件判断部１１２と、復旧処理部１１３と、異常通知部１１４とは、制御部１１０が記録媒体に記憶されているプログラムを実行することによって実現されるモジュールであっても良いし、ハードウェアのロジック回路であってもよい。
【０１６０】
状態取得部１１１は、ネットワークシステム１Ｂに含まれるディスプレイ２００の動作状態を取得する。状態取得部１１１は、定期的に、あるいは管理ディスプレイ２００Ａの主電源がＯＮされた際に、管理ディスプレイ２００Ａに接続されている全てのディスプレイ２００から、当該管理ディスプレイ２００Ａに接続されている全てのディスプレイの動作状態を、通信インターフェイス１０７を介して取得する。
【０１６１】
状態取得部１１１は、当該管理ディスプレイ２００Ａに接続されている全てのディスプレイ２００の動作状態を、定期的に状態メモリ１０２に格納する。また、状態取得部１１１は、管理ディスプレイ２００Ａの動作状態も、定期的に状態メモリ１０２に格納する。
【０１６２】
条件判断部１１２は、定期的に、あるいは管理ディスプレイ２００Ａの主電源がＯＮされた際に、状態メモリ１０２に記憶された全てのディスプレイ２００に対応する動作状態に基づいて、動作状態についての多数決を行う。そして、ネットワークシステム１Ｂの標準動作状態を決定する。
【０１６３】
なお、条件判断部は、最もディスプレイ２００の個数が多い動作状態が複数ある場合には、当該最もディスプレイ２００の個数が多い動作状態が１つになるまで待機してもよいし、あらかじめ定められた優先順位に従って標準動作状態を決定してもよい。たとえば、ソフト電源ＯＮ状態のディスプレイが２台あり、ソフト電源ＯＦＦ状態のディスプレイが２台ある場合は、ソフト電源ＯＮ状態を標準状態とする。
【０１６４】
条件判断部１１２は、標準動作状態を状態メモリ１０２に格納する。条件判断部１１２は、標準動作状態の全ての項目とネットワークシステム１Ｂに含まれる各ディスプレイ２００の動作状態の全ての項目とが一致するか否かを判断する。
【０１６５】
なお、いずれかのディスプレイ２００が電源をＯＮする途中である場合などのように、いずれかのディスプレイ２００が過渡的な状態にある可能性があるため、条件判断部１１２は、状態メモリ１０２を参照することによって、一定回数分の標準動作状態と各ディスプレイ２００の動作状態とが同じか否かを判断してもよい。この場合には、条件判断部１１２は、予め定められた回数以上、標準動作状態と各ディスプレイ２００の動作状態とが異なっているか否かを判断する。条件判断部１１２は、判断結果を復旧処理部１１３に受け渡す。
【０１６６】
標準動作状態のいずれかの項目と各ディスプレイ２００の動作状態のいずれかの項目とが異なる場合、復旧処理部１１３は、各ディスプレイ２００の動作状態を他のディスプレイ２００の動作状態に一致させるように、復旧手順メモリ１０１から対応するプログラムを読み出して、通信インターフェイス１０７を介して各ディスプレイ２００に復旧処理を行なわせるためのコマンドを送信する。
【０１６７】
ここで、復旧処理のためのプログラムについては、実施の形態１のそれと同様であるためここでは説明を繰り返さない。
【０１６８】
本実施の形態に係る条件判断部１１２は、復旧処理の後、標準動作状態の全ての項目と各ディスプレイ２００の動作状態の全ての項目とが一致するか否かを判断する。換言すれば、条件判断部１１２は、標準動作状態のいずれかの項目と各ディスプレイ２００の動作状態のいずれかの項目とが異なるか否かを判断する。
【０１６９】
異常通知部１１４は、復旧処理の後、標準動作状態のいずれかの項目と各ディスプレイ２００の動作状態のいずれかの項目とが異なる場合、通信インターフェイス１０７を介して、管理ＰＣ５００に復旧が不可能である旨を通知する。
【０１７０】
＜ディスプレイ２００Ｂ，２００Ｃ，２００Ｄの構成＞
なお、管理ディスプレイ２００Ａ以外のディスプレイ２００Ｂ，２００Ｃ，２００Ｄの各々は、制御部１１０が状態取得部１１１と条件判断部１１２と異常通知部１１４と状態メモリ１０２とを有さない点において、管理ディスプレイ２００Ａと異なる。そして、ディスプレイ２００Ｂは、復旧手順メモリ１０１を有さなくてもよい。この場合は、ディスプレイ２００Ｂの復旧処理部１１３は、復旧用の制御プログラム（コマンド）を管理ディスプレイ２００Ａから受信することによって復旧処理を実行する。
【０１７１】
あるいは、ディスプレイ２００Ｂの復旧処理部１１３が、コマンドの識別情報を管理ディスプレイ２００Ａから受信してもよい。この場合は、ディスプレイ２００Ｂの復旧処理部１１３は、復旧手順メモリ１０１を参照することによって復旧処理を実行する。
【０１７２】
ディスプレイ２００Ｂのその他の構成は、管理ディスプレイ２００Ａのそれらと同様であるため、ここでは説明を繰り返さない。
【０１７３】
＜判断処理＞
以下では、本実施の形態に係る管理ディスプレイ２００Ａにおける各種の処理手順について説明する。各種の処理（ステップ）は、制御部１１０がプログラムを実行することによって実現してもよいし、各機能ブロック（状態取得部１１１、条件判断部１１２、復旧処理部１１３、異常通知部１１４）などがハードウェア回路によって実現してもよい。
【０１７４】
まず、本実施の形態に係る管理ディスプレイ２００Ａにおける判断処理の処理手順について説明する。図１５は、本実施の形態に係る管理ディスプレイ２００Ａにおける判断処理の処理手順を示すフローチャートである。
【０１７５】
図１５を参照して、制御部１１０は、通信インターフェイス１０７を介して、ネットワークシステム１Ｂに含まれる他のディスプレイに状態確認コマンドを送信する（ステップＳ６０２）。制御部１１０は、通信インターフェイス１０７を介して他のディスプレイから応答（動作状態）を受信する。制御部１１０は、受信した動作状態を他のディスプレイを識別するための情報に対応付けて状態メモリ１０２に格納する（ステップＳ６０４）。このとき、制御部１１０は、自身の（管理ディスプレイ２００Ａ）の動作状態も状態メモリ１０２に格納する。
【０１７６】
制御部１１０は、ネットワークシステム１Ｂに含まれる全てのディスプレイ２００の動作状態が記憶されているか否かを判断する（ステップＳ６０６）。ネットワークシステム１Ｂに含まれる全てのディスプレイ２００の動作状態が記憶されていない場合（ステップＳ６０６においてＮＯである場合）、制御部１１０は、ステップＳ６０２からの処理を繰り返す。
【０１７７】
ネットワークシステム１Ｂに含まれる全てのディスプレイ２００の動作状態が記憶されている場合（ステップＳ６０６においてＹＥＳである場合）、制御部１１０は、動作状態に関する多数決によってネットワークシステム１Ｂの標準動作状態を決定する（ステップＳ６０８）。制御部１１０は、多数決によってネットワークシステム１Ｂの標準動作状態を決定できるか否かを判断する（ステップＳ６１０）。
【０１７８】
多数決によってネットワークシステム１Ｂの標準動作状態を決定できない場合（ステップＳ６１０においてＮＯである場合）、制御部１１０は、通信インターフェイス１０７を介して管理ＰＣ５００に復旧が困難である旨のメッセージを送信する（ステップＳ６１２）。制御部１１０は、ステップＳ６３０からの処理を実行する。
【０１７９】
多数決によってネットワークシステム１Ｂの標準動作状態を決定できる場合（ステップＳ６１０においてＹＥＳである場合）、制御部１１０は、各ディスプレイ２００の動作状態の電源状態がネットワークシステム１Ｂの標準動作状態の電源状態と一致しているか否かを判断する（ステップＳ６１４）。各ディスプレイ２００の動作状態の電源状態がネットワークシステム１Ｂの標準動作状態の電源状態と一致している場合（ステップＳ６１４においてＹＥＳである場合）、ステップＳ６１８からの処理を実行する。
【０１８０】
各ディスプレイ２００の動作状態の電源状態がネットワークシステム１Ｂの標準動作状態の電源状態と一致していない場合（ステップＳ６１４においてＮＯである場合）、制御部１１０は、規定回数以上一致していない状態が続いているか否かを判断する（ステップＳ６１６）。規定回数以上一致していない状態が続いている場合（ステップＳ６１６においてＹＥＳである場合）、制御部１１０は、ネットワークシステム１Ｂの標準動作状態の電源状態と一致しない電源状態にあるディスプレイ２００の電源復旧処理（ステップＳ７００）を実行する。電源復旧処理（ステップＳ７００）については後述する。制御部１１０は、ステップＳ６３０からの処理を実行する。
【０１８１】
規定回数以上一致していない状態が続いていない場合（ステップＳ６１６においてＮＯである場合）、制御部１１０は、各ディスプレイ２００の動作状態の入力モード（入力端子）がネットワークシステム１Ｂの標準動作状態の入力モードに一致しているか否かを判断する（ステップＳ６１８）。各ディスプレイ２００の動作状態の入力モード（入力端子）がネットワークシステム１Ｂの標準動作状態の入力モードに一致している場合（ステップＳ６１８においてＹＥＳである場合）、制御部１１０は、ステップＳ６２２からの処理を実行する。
【０１８２】
各ディスプレイ２００の動作状態の入力モード（入力端子）がネットワークシステム１Ｂの標準動作状態の入力モードに一致していない場合（ステップＳ６１８においてＮＯである場合）、制御部１１０は、規定回数以上一致していない状態が続いているか否かを判断する（ステップＳ６２０）。規定回数以上一致していない状態が続いている場合（ステップＳ６２０においてＹＥＳである場合）、制御部１１０は、ネットワークシステム１Ｂの標準動作状態の入力モードと一致しない入力モードにあるディスプレイ２００の入力モード復旧処理（ステップＳ８００）を実行する。入力モード復旧処理（ステップＳ８００）については後述する。制御部１１０は、ステップＳ６３０からの処理を実行する。
【０１８３】
規定回数以上一致していない状態が続いていない場合（ステップＳ６２０においてＮＯである場合）、制御部１１０は、各ディスプレイ２００の動作状態の信号状態がネットワークシステム１Ｂの標準動作状態の信号状態に一致するか否かを判断する（ステップＳ６２２）。各ディスプレイ２００の動作状態の信号状態がネットワークシステム１Ｂの標準動作状態の信号状態に一致する場合（ステップＳ６２２においてＹＥＳである場合）、制御部１１０は、ステップＳ６２６からの処理を実行する。
【０１８４】
各ディスプレイ２００の動作状態の信号状態がネットワークシステム１Ｂの標準動作状態の信号状態に一致しない（ステップＳ６２２においてＮＯである場合）、制御部１１０は、規定回数以上一致していない状態が続いているか否かを判断する（ステップＳ６２４）。規定回数以上一致していない状態が続いている場合（ステップＳ６２４においてＹＥＳである場合）、制御部１１０は、ネットワークシステム１Ｂの標準動作状態の信号状態と一致しない信号状態にあるディスプレイ２００の信号状態復旧処理（ステップＳ９００）を実行する。信号状態復旧処理（ステップＳ９００）については後述する。制御部１１０は、ステップＳ６３０からの処理を実行する。
【０１８５】
規定回数以上一致していない状態が続いていない場合（ステップＳ６２４においてＮＯである場合）、制御部１１０は、各ディスプレイ２００の動作状態のランプ状態がネットワークシステム１Ｂの標準動作状態のランプ状態に一致するか否かを判断する（ステップＳ６２６）。各ディスプレイ２００の動作状態のランプ状態がネットワークシステム１Ｂの標準動作状態のランプ状態に一致する場合（ステップＳ６２６においてＹＥＳである場合）、制御部１１０は、ステップＳ６３０からの処理を実行する。
【０１８６】
各ディスプレイ２００の動作状態のランプ状態がネットワークシステム１Ｂの標準動作状態のランプ状態に一致しない（ステップＳ６２６においてＮＯである場合）、制御部１１０は、規定回数以上一致していない状態が続いているか否かを判断する（ステップＳ６２８）。規定回数以上一致していない状態が続いている場合（ステップＳ６２８においてＹＥＳである場合）、制御部１１０は、ランプ状態復旧処理（ステップＳ５００）を実行する。ランプ状態復旧処理（ステップＳ４００）については後述する。制御部１１０は、ステップＳ６３０からの処理を実行する。
【０１８７】
規定回数以上一致していない状態が続いていない場合（ステップＳ６２８においてＮＯである場合）、制御部１１０は、一定時間待機したうえで（ステップＳ６３０）、ステップＳ６０２からの処理を繰り返す。
【０１８８】
＜電源復旧処理＞
以下では、本実施の形態に係る管理ディスプレイ２００Ａにおける電源復旧処理の処理手順について説明する。すなわち、各ディスプレイ２００の動作状態の電源状態がネットワークシステム１Ｂの標準動作状態の電源状態と異なる場合における管理ディスプレイ２００Ａの処理について説明する。図１６は、本実施の形態に係る管理ディスプレイ２００Ａにおける電源復旧処理の処理手順を示すフローチャートである。
【０１８９】
図１６を参照して、制御部１１０は、ネットワークシステム１Ｂの標準動作状態の電源状態に一致しないディスプレイ２００の識別情報と電源状態とを状態メモリ１０２に記憶する（ステップＳ７０２）。制御部１１０は、状態メモリ１０２から、ネットワークシステム１Ｂの標準動作状態の電源状態に一致しないディスプレイ２００の電源状態を読み出す（ステップＳ７０４）。制御部１１０は、一致しないディスプレイ２００の動作状態のソフト電源がＯＦＦであるか否かを判断する（ステップＳ７０６）。
【０１９０】
一致しないディスプレイ２００の動作状態のソフト電源がＯＦＦである場合（ステップＳ７０６においてＹＥＳである場合）、制御部１１０は、ソフト電源をＯＮするためのコマンドを準備する（ステップＳ７０８）。制御部１１０は、ステップＳ７１２からの処理を実行する。
【０１９１】
一致しないディスプレイ２００の動作状態のソフト電源がＯＮである場合（ステップＳ７０６においてＮＯである場合）、制御部１１０は、ソフト電源をＯＦＦするためのコマンドを準備する（ステップＳ７１０）。制御部１１０は、変数ｍに状態メモリ１０２に記憶した識別情報の個数を代入する（ステップＳ７１２）。制御部１１０は、変数ｎに１を代入する（ステップＳ７１４）。
【０１９２】
制御部１１０は、変数ｎに対応するディスプレイ２００の識別情報を読み出す（ステップＳ７１６）。制御部１１０は、変数ｎに対応するディスプレイ２００が管理ディスプレイ２００Ａ以外であるか否かを判断する（ステップＳ７１８）。変数ｎに対応するディスプレイ２００が管理ディスプレイ２００Ａ以外である場合（ステップＳ７１８においてＹＥＳである場合）、制御部１１０は、変数ｎに対応するディスプレイ２００の識別情報に基づいて、通信インターフェイス１０７を介して、当該ディスプレイ２００に準備したコマンドを送信する（ステップＳ７２０）。
【０１９３】
制御部１１０は、通信インターフェイス１０７を介して、当該ディスプレイ２００に状態確認コマンドを送信する（ステップＳ７２２）。制御部１１０は、通信インターフェイス１０７を介して、当該ディスプレイ２００から応答（動作状態）を受信する（ステップＳ７２４）。制御部１１０は、受信した動作状態を当該ディスプレイ２００の識別情報に対応付けて状態メモリ１０２に記憶する（ステップＳ７２６）。制御部１１０は、ステップＳ７３２からの処理を実行する。
【０１９４】
一方、変数ｎに対応するディスプレイ２００が管理ディスプレイ２００Ａである場合（ステップＳ７１８においてＮＯである場合）、制御部１１０は、準備したコマンドを実行する（ステップＳ７２８）。制御部１１０は、管理ディスプレイ２００Ａの動作状態を管理ディスプレイ２００Ａの識別情報とともに格納する（ステップＳ７３０）。
【０１９５】
制御部１１０は、変数ｍ＝ｎであるか否かを判断する（ステップＳ７３２）。変数ｍ＝ｎでない場合（ステップＳ７３２においてＮＯである場合）、制御部１１０は、変数ｎをインクリメントして（ステップＳ７３４）、ステップＳ７１６からの処理を繰り返す。
【０１９６】
変数ｍ＝ｎである場合（ステップＳ７３２においてＹＥＳである場合）、制御部１１０は、新たな動作状態の電源状態が標準動作状態の電源状態に一致しているか否かを判断する（ステップＳ７３６）。新たな動作状態の電源状態が標準動作状態の電源状態に一致している場合（ステップＳ７３６においてＹＥＳである場合）、電源復旧処理を終了する。
【０１９７】
新たな動作状態の電源状態が標準動作状態の電源状態に一致していない場合（ステップＳ７３６においてＮＯである場合）、制御部１１０は、通信インターフェイス１０７を介して、未だ電源状態が一致していないディスプレイ２００の識別情報と電源状態が異常であることを示すメッセージとを管理ＰＣ５００に送信する（ステップＳ７３８）。制御部１１０は、電源復旧処理を終了する。
【０１９８】
＜入力モード復旧処理＞
以下では、本実施の形態に係る管理ディスプレイ２００Ａにおける入力モード復旧処理の処理手順について説明する。すなわち、各ディスプレイ２００の動作状態の入力端子がネットワークシステム１Ｂの標準動作状態の入力端子と異なる場合における管理ディスプレイ２００Ａの処理について説明する。図１７は、本実施の形態に係る管理ディスプレイ２００Ａにおける入力モード復旧処理の処理手順を示すフローチャートである。
【０１９９】
図１７を参照して、制御部１１０は、ネットワークシステム１Ｂの標準動作状態の入力端子に一致しないディスプレイ２００の識別情報と入力端子とを状態メモリ１０２に記憶する（ステップＳ８０２）。制御部１１０は、標準動作状態の入力端子と同じ入力端子に切り替えるためのコマンドを準備する（ステップＳ８０４）。制御部１１０は、変数ｍに状態メモリ１０２に記憶した識別情報の個数を代入する（ステップＳ８０６）。制御部１１０は、変数ｎに１を代入する（ステップＳ８０８）。
【０２００】
制御部１１０は、変数ｎに対応するディスプレイ２００の識別情報を読み出す（ステップＳ８１０）。制御部１１０は、変数ｎに対応するディスプレイ２００の識別情報に基づいて、通信インターフェイス１０７を介して、当該ディスプレイ２００に準備したコマンドを送信する（ステップＳ８１２）。ただし、変数ｎが管理ディスプレイ２００Ａに対応するときは、制御部１１０が準備したコマンドを実行する。
【０２０１】
制御部１１０は、変数ｍ＝ｎであるか否かを判断する（ステップＳ８１４）。変数ｍ＝ｎでない場合（ステップＳ８１４においてＮＯである場合）、制御部１１０は、変数ｎをインクリメントして（ステップＳ８１６）、ステップＳ８１０からの処理を繰り返す。
【０２０２】
変数ｍ＝ｎである場合（ステップＳ８１４においてＹＥＳである場合）、制御部１１０は、入力モード復旧処理を終了する。
【０２０３】
なお、入力モード復旧処理においても、電源状態復旧処理と同様に、制御部１１０は、ステップＳ８１２の後に、通信インターフェイス１０７を介して、変数ｎに対応するディスプレイ２００に状態確認コマンドを送信してもよい。制御部１１０は、通信インターフェイス１０７を介して、当該ディスプレイ２００から応答（動作状態）を受信する。制御部１１０は、受信した動作状態を状態メモリ１０２に記憶する。あるいは、制御部１１０は、管理ディスプレイ２００Ａの動作状態を管理ディスプレイ２００Ａの識別情報とともに格納する。
【０２０４】
そして、ステップＳ８１４においてＹＥＳである場合に、制御部１１０は、新たな動作状態が標準動作状態に一致しているか否かを判断する。新たな動作状態が標準動作状態に一致している場合、入力モード復旧処理を終了する。新たな動作状態が標準動作状態に一致していない場合、制御部１１０は、通信インターフェイス１０７を介して、未だ電源状態が一致していないディスプレイ２００の識別情報と電源状態が異常であることを示すメッセージとを管理ＰＣ５００に送信する。
【０２０５】
＜信号状態復旧処理＞
以下では、本実施の形態に係る管理ディスプレイ２００Ａにおける信号状態復旧処理の処理手順について説明する。すなわち、各ディスプレイ２００の動作状態の入力信号状態がネットワークシステム１Ｂの標準動作状態の入力信号状態と異なる場合における管理ディスプレイ２００Ａの処理について説明する。図１８は、本実施の形態に係る管理ディスプレイ２００Ａにおける信号状態復旧処理の処理手順を示す第１のフローチャートである。図１９は、本実施の形態に係る管理ディスプレイ２００Ａにおける信号状態復旧処理の処理手順を示す第２のフローチャートである。
【０２０６】
図１８および図１９を参照して、制御部１１０は、ネットワークシステム１Ｂの標準動作状態の信号状態に一致しないディスプレイ２００の識別情報と信号状態とを状態メモリ１０２に記憶する（ステップＳ９０２）。制御部１１０は、変数ｍに状態メモリ１０２に記憶した識別情報の個数を代入する（ステップＳ９０４）。制御部１１０は、変数ｎに１を代入する（ステップＳ９０６）。
【０２０７】
制御部１１０は、変数ｎに対応するディスプレイ２００の識別情報を読み出す（ステップＳ９０８）。制御部１１０は、変数ｎに対応するディスプレイ２００の動作状態の入力信号の有無がネットワークシステム１Ｂの標準動作状態の入力信号の有無と一致するか否かを判断する（ステップＳ９１０）。たとえば、ネットワークシステム１Ｂの標準動作状態が入力信号有である場合、制御部１１０は、変数ｎに対応するディスプレイ２００の動作状態が無信号状態であるか否かを判断する。
【０２０８】
変数ｎに対応するディスプレイ２００の動作状態が無信号状態である場合（ステップＳ９１０においてＹＥＳである場合）、制御部１１０は、記録媒体の変数Ｆに１を代入する（ステップＳ９１２）。制御部１１０は、変数Ｆに対応するコマンドを復旧手順メモリ１０１から読み出す（ステップＳ９１４）。制御部１１０は、通信インターフェイス１０７を介して、準備したコマンドを変数ｎに対応するディスプレイ２００に送信する（ステップＳ９１６）。ただし、変数ｎが管理ディスプレイ２００Ａに対応するときは、制御部１１０が準備したコマンドを実行する。
【０２０９】
制御部１１０は、変数ｎに対応するディスプレイ２００の動作状態の入力信号の有無がネットワークシステム１Ｂの標準動作状態の入力信号の有無に一致するか否かを判断する（ステップＳ９１８）。変数ｎに対応するディスプレイ２００の動作状態の入力信号の有無がネットワークシステム１Ｂの標準動作状態の入力信号の有無に一致する場合（ステップＳ９１８においてＹＥＳである場合）、制御部１１０は、ステップＳ９２４からの処理を実行する。
【０２１０】
変数ｎに対応するディスプレイ２００の動作状態の入力信号の有無がネットワークシステム１Ｂの標準動作状態の入力信号の有無に一致しない場合（ステップＳ９１８においてＮＯである場合）、制御部１１０は、Ｆ＝３であるか否かを判断する（ステップＳ９２０）。Ｆ＝３である場合（ステップＳ９２０においてＹＥＳである場合）、制御部１１０は、ステップＳ９５４からの処理を実行する。Ｆ＝３でない場合（ステップＳ９２０においてＮＯである場合）、制御部１１０は、変数Ｆをインクリメントして（ステップＳ９２２）、ステップＳ９１４からの処理を繰り返す。
【０２１１】
変数ｎに対応するディスプレイ２００の動作状態が無信号状態でない場合（ステップＳ９１０においてＮＯである場合）、制御部１１０は、変数ｎに対応するディスプレイ２００の動作状態の入力信号に対応する解像度がネットワークシステム１Ｂの標準動作状態の入力信号に対応する解像度と異なるか否かを判断する（ステップＳ９２４）。
【０２１２】
変数ｎに対応するディスプレイ２００の動作状態の解像度がネットワークシステム１Ｂの標準動作状態の解像度と異なる場合（ステップＳ９２４においてＹＥＳである場合）、制御部１１０は、記録媒体の変数Ｆに１を代入する（ステップＳ９２６）。制御部１１０は、変数Ｆに対応するコマンドを復旧手順メモリ１０１から読み出す（ステップＳ９２８）。制御部１１０は、通信インターフェイス１０７を介して、準備したコマンドを変数ｎに対応するディスプレイ２００に送信する（ステップＳ９３０）。ただし、変数ｎが管理ディスプレイ２００Ａに対応するときは、制御部１１０が準備したコマンドを実行する。
【０２１３】
制御部１１０は、変数ｎに対応するディスプレイ２００の動作状態の解像度がネットワークシステム１Ｂの標準動作状態の解像度に一致するか否かを判断する（ステップＳ９３２）。変数ｎに対応するディスプレイ２００の動作状態の解像度がネットワークシステム１Ｂの標準動作状態の解像度に一致する場合（ステップＳ９３２においてＹＥＳである場合）、制御部１１０は、ステップＳ９３８からの処理を実行する。
【０２１４】
変数ｎに対応するディスプレイ２００の動作状態の解像度がネットワークシステム１Ｂの標準動作状態の解像度に一致しない場合（ステップＳ９３２においてＮＯである場合）、制御部１１０は、Ｆ＝２であるか否かを判断する（ステップＳ９３４）。Ｆ＝２である場合（ステップＳ９３４においてＹＥＳである場合）、制御部１１０は、ステップＳ９５４からの処理を実行する。Ｆ＝２でない場合（ステップＳ９３４においてＮＯである場合）、制御部１１０は、変数Ｆをインクリメントして（ステップＳ９３６）、ステップＳ９２８からの処理を繰り返す。
【０２１５】
変数ｎに対応するディスプレイ２００の動作状態の解像度がネットワークシステム１Ｂの標準動作状態の解像度と一致する場合（ステップＳ９２４においてＮＯである場合）、制御部１１０は、変数ｎに対応するディスプレイ２００の動作状態のカラーシステムがネットワークシステム１Ｂの標準動作状態のカラーシステムと異なるか否かを判断する（ステップＳ９３８）。
【０２１６】
変数ｎに対応するディスプレイ２００の動作状態のカラーシステムがネットワークシステム１Ｂの標準動作状態のカラーシステムと異なる場合（ステップＳ９３８においてＹＥＳである場合）、制御部１１０は、記録媒体の変数Ｆに１を代入する（ステップＳ９４０）。制御部１１０は、変数Ｆに対応するコマンドを復旧手順メモリ１０１から読み出す（ステップＳ９４２）。制御部１１０は、通信インターフェイス１０７を介して、準備したコマンドを変数ｎに対応するディスプレイ２００に送信する（ステップＳ９４６）。ただし、変数ｎが管理ディスプレイ２００Ａに対応するときは、制御部１１０が準備したコマンドを実行する。
【０２１７】
制御部１１０は、変数ｎに対応するディスプレイ２００の動作状態のカラーシステムがネットワークシステム１Ｂの標準動作状態のカラーシステムに一致するか否かを判断する（ステップＳ９４８）。変数ｎに対応するディスプレイ２００の動作状態のカラーシステムがネットワークシステム１Ｂの標準動作状態のカラーシステムに一致する場合（ステップＳ９４８においてＹＥＳである場合）、制御部１１０は、ステップＳ９５６からの処理を実行する。
【０２１８】
変数ｎに対応するディスプレイ２００の動作状態のカラーシステムがネットワークシステム１Ｂの標準動作状態のカラーシステムに一致しない場合（ステップＳ９４８においてＮＯである場合）、制御部１１０は、Ｆ＝２であるか否かを判断する（ステップＳ９５０）。Ｆ＝２でない場合（ステップＳ９５０においてＮＯである場合）、制御部１１０は、変数Ｆをインクリメントして（ステップＳ９５２）、ステップＳ９４２からの処理を実行する。
【０２１９】
Ｆ＝２である場合（ステップＳ９５０においてＹＥＳである場合）、制御部１１０は、通信インターフェイス１０７を介して、変数ｎに対応するディスプレイ２００の識別情報と信号状態が異常であることを示すメッセージとを管理ＰＣ５００に送信する（ステップＳ９５４）。制御部１１０は、変数ｍ＝ｎであるか否かを判断する（ステップＳ９５６）。変数ｍ＝ｎでない場合（ステップＳ９５６においてＮＯである場合）、制御部１１０は、変数ｎをインクリメントして（ステップＳ９５８）、ステップＳ９０８からの処理を繰り返す。
【０２２０】
変数ｍ＝ｎである場合（ステップＳ９５６においてＹＥＳである場合）、制御部１１０は、信号状態復旧処理を終了する。
【０２２１】
＜ランプ状態復旧処理＞
以下では、本実施の形態に係る管理ディスプレイ２００Ａにおけるランプ状態復旧処理の処理手順について説明する。すなわち、各ディスプレイ２００の動作状態のランプ状態がネットワークシステム１Ｂの標準動作状態のランプ状態と異なる場合における管理ディスプレイ２００Ａの処理について説明する。図２０は、本実施の形態に係る管理ディスプレイ２００Ａにおけるランプ状態復旧処理の処理手順を示すフローチャートである。
【０２２２】
図２０を参照して、制御部１１０は、ネットワークシステム１Ｂの標準動作状態のランプ状態に一致しないディスプレイ２００の識別情報とランプ状態とを状態メモリ１０２に記憶する（ステップＳ１００２）。制御部１１０は、標準動作状態のランプ状態を状態メモリ１０２に記憶する（ステップＳ１００４）。制御部１１０は、変数ｍに状態メモリ１０２に記憶した識別情報の個数を代入する（ステップＳ１００６）。制御部１１０は、変数ｎに１を代入する（ステップＳ１００８）。
【０２２３】
制御部１１０は、変数ｎに対応するディスプレイ２００の識別情報を読み出す（ステップＳ１０１０）。制御部１１０は、変数ｎに対応するディスプレイ２００の電源状態を状態メモリ１０２に記憶する（ステップＳ１０１２）。制御部１１０は、記録媒体の変数Ｆに１を代入する（ステップＳ１０１４）。制御部１１０は、変数Ｆに対応するコマンドを復旧手順メモリ１０１から読み出す（ステップＳ１０１６）。制御部１１０は、制御部１１０は、通信インターフェイス１０７を介して、準備したコマンドを変数ｎに対応するディスプレイ２００に送信する（ステップＳ１０１８）。ただし、変数ｎが管理ディスプレイ２００Ａに対応するときは、制御部１１０が準備したコマンドを実行する。
【０２２４】
制御部１１０は、変数ｎに対応するディスプレイ２００の動作状態のランプ状態がネットワークシステム１Ｂの標準動作状態のランプ状態に一致するか否かを判断する（ステップＳ１０２０）。変数ｎに対応するディスプレイ２００の動作状態のランプ状態がネットワークシステム１Ｂの標準動作状態のランプ状態に一致する場合（ステップＳ１０２０においてＹＥＳである場合）、制御部１１０は、ステップＳ１０２８からの処理を実行する。
【０２２５】
変数ｎに対応するディスプレイ２００の動作状態のランプ状態がネットワークシステム１Ｂの標準動作状態のランプ状態に一致しない場合（ステップＳ１０２０においてＮＯである場合）、制御部１１０は、Ｆ＝２であるか否かを判断する（ステップＳ１０２２）。Ｆ＝２でない場合（ステップＳ１０２２においてＮＯである場合）、制御部１１０は、変数Ｆをインクリメントして（ステップＳ１０２４）、ステップＳ１０１６からの処理を繰り返す。
【０２２６】
Ｆ＝２である場合（ステップＳ１０２２においてＹＥＳである場合）、制御部１１０は、通信インターフェイス１０７を介して、変数ｎに対応するディスプレイ２００の識別情報と復旧が困難であることを示すメッセージとを管理ＰＣ５００に送信する（ステップＳ１０２６）。制御部１１０は、変数ｍ＝ｎであるか否かを判断する（ステップＳ１０２８）。変数ｍ＝ｎでない場合（ステップＳ１０２８においてＮＯである場合）、制御部１１０は、変数ｎをインクリメントして（ステップＳ１０３０）、ステップＳ１０１０からの処理を繰り返す。
【０２２７】
変数ｍ＝ｎである場合（ステップＳ１０２８においてＹＥＳである場合）、制御部１１０は、ランプ状態復旧処理を終了する。
【０２２８】
［実施の形態３］
次に、本発明の実施の形態３について説明する。上述の実施の形態２に係るネットワークシステム１Ｂでは、ネットワークシステム１Ｂに含まれる１つの管理用のディスプレイ２００Ａが、全てのディスプレイ２００の復旧処理の要否を判断するものである。一方、本実施の形態に係るネットワークシステム１Ｃは、管理サーバが全てのディスプレイの復旧処理の要否を判断するものである。換言すれば、実施の形態２に係るネットワークシステム１Ｂは、実施の形態３における管理サーバとディスプレイの１つとが同じ装置によって実現されたものと言える。
【０２２９】
なお、実施の形態１に係るネットワークシステム１Ａと同様の構成については、説明を繰り返さない。
【０２３０】
＜ネットワークシステム１Ｃの構成＞
まず、本実施の形態に係るネットワークシステム１Ｃの全体構成について説明する。図２１は、本実施の形態に係るネットワークシステム１Ｃの全体構成を示すイメージ図である。
【０２３１】
図２１を参照して、ネットワークシステム１Ｃは、管理サーバ３００と、複数のディスプレイ２００Ｂ，２００Ｃ，２００Ｄと、コンテンツ出力装置４００と、管理ＰＣ５００とを含む。管理サーバ３００と複数のディスプレイ２００Ｂ，２００Ｃ，２００Ｄのそれぞれと管理ＰＣ５００とは第１のネットワーク５１を介して互いに通信する。管理サーバ３００と複数のディスプレイ２００Ｂ，２００Ｃ，２００Ｄのそれぞれとコンテンツ出力装置４００とは第２のネットワーク５２を介して互いに通信する。
【０２３２】
なお、複数のディスプレイ２００Ｂ，２００Ｃ，２００Ｄは、液晶テレビやプラズマテレビなどによって実現される。第１のネットワーク５１および第２のネットワーク５２は、たとえば、有線ＬＡＮ、無線ＬＡＮ、ＲＳ−２３２Ｃ、ＨＤＭＩ−ＣＥＣ（High Definition Multimedia Interface-Consumer Electronics Control）などによって実現される。
【０２３３】
ただし、管理サーバ３００とコンテンツ出力装置４００とが、同一の装置であってもよい。また、管理ＰＣ５００とコンテンツ出力装置４００とが、同一の装置であってもよい。そして、第１のネットワーク５１および第２のネットワーク５２は、同一のネットワークであってもよい。
【０２３４】
また、ネットワークシステム１Ｃが複数のコンテンツ出力装置４００を含んでもよい。この場合には、複数のディスプレイ２００Ｂ，２００Ｃ，２００Ｄは、複数の入力端子のそれぞれを介して、複数のコンテンツ出力装置４００のそれぞれから異なるコンテンツを受信する。
【０２３５】
あるいは、コンテンツ出力装置４００が複数のコンテンツを異なる出力端子から出力してもよい。この場合には、複数のディスプレイ２００Ｂ，２００Ｃ，２００Ｄは、複数の入力端子のそれぞれを介して、コンテンツ出力装置４００の出力端子のそれぞれから異なるコンテンツを受信する。
【０２３６】
複数のディスプレイ２００Ｂ，２００Ｃ，２００Ｄは、ネットワーク５２を介してコンテンツ出力装置４００から受信したコンテンツを表示する。本実施の形態においては、複数のディスプレイ２００Ｂ，２００Ｃ，２００Ｄは、コンテンツ出力装置４００から同一のコンテンツを受信して、当該同一のコンテンツを表示する。
【０２３７】
本実施の形態に係るネットワークシステム１Ｃは、実施の形態２に係るネットワークシステム１Ｃの管理ディスプレイ２００Ａを管理サーバ３００に入れ替えたものであるため、本実施の形態に係るネットワークシステム１Ｃの動作概要についての説明は繰り返さない。
【０２３８】
次に、本実施の形態に係る管理サーバ３００の具体的構成の一態様について説明する。なお、以下では、ディスプレイ２００Ｂ，２００Ｃ，２００Ｄをディスプレイ２００とも総称する。
【０２３９】
図２２は、本実施の形態に係る管理サーバ３００の構成を表わすブロック図である。図２２を参照して、管理サーバ３００は、主たる構成要素として、制御部１１０と、復旧手順メモリ１０１と、状態メモリ１０２と、通信インターフェイス１０７とを含む。本実施の形態に係る制御部１１０は、管理サーバ３００における復旧処理を実行しない点と、管理サーバ３００の動作状態を考慮しない点とにおいて、実施の形態２の制御部１１０と異なる。本実施の形態に係る管理サーバ３００のその他の構成は、実施の形態２に係る管理ディスプレイ２００Ａの対応物と同様であるため、ここでは説明を繰り返さない。
【０２４０】
また、ディスプレイ２００Ｂ，２００Ｃ，２００Ｄの構成は、実施の形態２に係るディスプレイ２００Ｂ，２００Ｃ，２００Ｄの構成と同様であるため、ここでは説明を繰り返さない。
【０２４１】
次に、本実施の形態に係る管理サーバ３００における各種の処理手順について説明する。各種の処理（ステップ）は、制御部１１０がプログラムを実行することによって実現してもよいし、各機能ブロック（状態取得部１１１、条件判断部１１２、復旧処理部１１３、異常通知部１１４）などがハードウェア回路によって実現してもよい。
【０２４２】
図２３は、本実施の形態に係る管理サーバ３００における電源復旧処理の処理手順を示すフローチャートである。図２３に示すように、本実施の形態に係る管理サーバ３００における各種処理は、管理サーバ３００における復旧処理を実行しない点と、管理サーバ３００の動作状態を考慮しない点とにおいて、実施の形態２に係る管理ディスプレイ２００Ａにおける各種処理と異なる。
【０２４３】
たとえば、本実施の形態に係る管理サーバ３００は、実施の形態２に係るステップＳ７１８、ステップＳ７２８、ステップＳ７３０に対応する処理を実行しない点において、管理ディスプレイ２００Ａと異なる。また、本実施の形態に係る管理サーバ３００は、実施の形態２に係るステップＳ８１２、ステップＳ９１６、ステップＳ９３０、ステップＳ９４６、ステップＳ１０１８において、自身でコマンドを実行しない点において、管理ディスプレイ２００Ａと異なる。
【０２４４】
本実施の形態に係るその他のステップについては、実施の形態２に係るそれらと同様であるため、ここでは説明を繰り返さない。
【０２４５】
＜その他の実施の形態＞
本発明は、システム（ネットワークシステム１Ａ，１Ｂ，１Ｃ）或いは装置（ディスプレイ１００Ａ〜１００Ｄ，２００Ａ〜２００Ｂ、管理サーバ３００）にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０２４６】
この場合、記憶媒体から読出されたプログラムコード自体が前述した実施の形態の機能を実現することになり、そのプログラムコードを記憶した記憶媒体は本発明を構成することになる。
【０２４７】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０２４８】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０２４９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０２５０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０２５１】
１Ａ，１Ｂ，１Ｃ  ネットワークシステム、５１  第１のネットワーク、５２  第２のネットワーク、１００，１００Ａ，１００Ｂ，１００Ｃ，１００Ｄ  ディスプレイ、１０１  復旧手順メモリ、１０２  状態メモリ、１０３  スピーカ、１０４  ディスプレイ駆動回路、１０５  画面、１０６  ランプ状態検出回路、１０７  通信インターフェイス、１０８  コンテンツ入力インターフェイス、１０９  バックライト、１１０  制御部、１１１  状態取得部、１１２  条件判断部、１１３  復旧処理部、１１４  異常通知部、２００，２００Ｂ，２００Ｃ，２００Ｄ  ディスプレイ、２００Ａ  管理ディスプレイ、３００  管理サーバ、４００  コンテンツ出力装置、５００  管理ＰＣ。
【図１】
2011109303.tif 000003
【図２】
2011109303.tif 000004
【図３】
2011109303.tif 000005
【図４】
2011109303.tif 000006
【図５】
2011109303.tif 000007
【図６】
2011109303.tif 000008
【図７】
2011109303.tif 000009
【図８】
2011109303.tif 000010
【図９】
2011109303.tif 000011
【図１０】
2011109303.tif 000012
【図１１】
2011109303.tif 000013
【図１２】
2011109303.tif 000014
【図１３】
2011109303.tif 000015
【図１４】
2011109303.tif 000016
【図１５】
2011109303.tif 000017
【図１６】
2011109303.tif 000018
【図１７】
2011109303.tif 000019
【図１８】
2011109303.tif 000020
【図１９】
2011109303.tif 000021
【図２０】
2011109303.tif 000022
【図２１】
2011109303.tif 000023
【図２２】
2011109303.tif 000024
【図２３】
2011109303.tif 000025